(57)【要約】【課題】  電気的な接続に係る信頼性の低下を抑制しつつ、撮像装置に対するアクセサリの装着に関する誤検知を防止する。【解決手段】  アクセサリの第１のマウントと結合が可能な第２のマウントは、アクセサリの端子との電気的な接続に用いる複数の端子と、複数の端子を保持する端子保持部とを有し、複数の端子のそれぞれは、アクセサリにおいて第１のマウントの周方向に沿って配された複数の端子と電気的に接続でき、端子保持部は、第２のマウントの中心軸と平行な方向に段差を備え、複数の端子は、撮像装置にアクセサリが装着されたことを検出するのに用いる第１の端子を備え、端子保持部は、少なくとも第１の段と当該第１の段よりもアクセサリ側に突出した第２の段を有し、第１の端子は、第１の段において、複数の端子のうちの他の端子よりも第２の段の近くに配されていることを特徴とする構成とした。【選択図】  図５
2020024458.tif 000002
【特許請求の範囲】
【請求項１】
第１のマウントを備えるアクセサリを装着可能な撮像装置であって、
前記アクセサリの前記第１のマウントと結合が可能な第２のマウントは、
当該第２のマウントの周方向に沿って配され、前記アクセサリに設けられた対応する端子との電気的な接続に用いる複数の端子と、
前記複数の端子を保持する端子保持部と、
を有し、
前記複数の端子のそれぞれは、前記アクセサリにおいて前記第１のマウントの周方向に沿って配された複数の端子と電気的に接続でき、
前記端子保持部は、前記第２のマウントの中心軸と平行な方向に段差を備え、
前記複数の端子は、前記撮像装置に前記アクセサリが装着されたことを検出するのに用いる第１の端子を備え、
前記端子保持部は、少なくとも第１の段と、前記撮像装置に前記アクセサリが装着された状態で当該第１の段よりも前記アクセサリ側に突出した第２の段を有し、
前記第１の端子は、前記端子保持部の前記第１の段において、前記複数の端子のうちの他の端子よりも前記第２の段の近くに配されていることを特徴とする撮像装置。
【請求項２】
前記第１の段は、バヨネット結合による前記第２のマウントに対する前記第１のマウントの相対的な装着方向において、前記第２の段よりも手前に位置し、
前記第１の端子は、前記第２のマウントに対する前記第１のマウントの相対的な装着方向において、前記複数の端子のうちの他の端子よりも奥に配されていることを特徴とする請求項１に記載の撮像装置。
【請求項３】
前記複数の端子は、前記第１の段よりも前記第２の段に配された端子の数が少ないことを特徴とする請求項２に記載の撮像装置。
【請求項４】
前記複数の端子は、前記第２の段に、前記複数の端子のうちの他の端子に対応するグランドレベルを示す第２の端子を備えていることを特徴とする請求項２又は３に記載の撮像装置。
【請求項５】
前記複数の端子は、前記第２の段に、前記撮像装置に前記アクセサリが装着された際に、前記撮像装置から前記アクセサリに対して通信用の電源を供給するための第３の端子を備えることを特徴とする請求項４に記載の撮像装置。
【請求項６】
前記第１の端子は、前記第１の段で、前記第２のマウントに対する前記第１のマウントの相対的な装着方向において、前記複数の端子のうちの他の端子よりも奥に配されていることを特徴とする請求項４又は５に記載の撮像装置。
【請求項７】
前記第３の端子は、前記第２の段で、前記第２のマウントに対する前記第１のマウントの相対的な装着方向において、前記複数の端子のうちの他の端子よりも奥に配されていることを特徴とする請求項４乃至６の何れか一項に記載の撮像装置。
【請求項８】
前記第２の端子は、前記第２の段で、前記第２のマウントに対する前記第１のマウントの相対的な装着方向において、前記複数の端子のうちの他の端子よりも手前に配されていることを特徴とする請求項４乃至７の何れか一項に記載の撮像装置。
【請求項９】
前記複数の端子は、前記アクセサリ側の端子と電気的な接続が可能な接点ピンであって、
前記第１の端子は、前記第１の端子と隣り合う前記第２の端子との端子間のピッチが、前記複数の端子のうちの他の端子同士の端子間のピッチよりも広いことを特徴とする請求項４乃至８の何れか一項に記載の撮像装置。
【請求項１０】
前記複数の端子は、前記アクセサリ側の端子と電気的な接続が可能な接点面であって、前記第１の端子は、前記複数の端子の中で、接点面の前記円周方向における幅が前記複数の端子のうちの他の端子よりも狭いことを特徴とする請求項４乃至８の何れか一項に記載の撮像装置。
【請求項１１】
前記第１の端子は、前記撮像装置に前記アクセサリを装着する際に、前記複数の端子のうちで、対応するアクセサリ側の端子と最後に接続され、前記撮像装置に対する前記アクセサリの装着を解除する際に、前記複数の端子のうちで、対応するアクセサリ側の端子との接続が最初に解除されることを特徴とする請求項１に記載の撮像装置。
【請求項１２】
前記複数の端子は、前記第２の段に、前記撮像装置に前記アクセサリが装着された際に、前記撮像装置から前記アクセサリに対してアクチュエータの駆動に用いる電源を供給するための第４の端子を備えることを特徴とする請求項５に記載の撮像装置。
【請求項１３】
前記複数の端子は、前記第２の段に、前記撮像装置に装着された前記アクセサリの種類の検出に用いる信号を出力する第５の端子を備えていることを特徴とする請求項１２に記載の撮像装置。
【請求項１４】
前記複数の端子は、前記第１の段に、前記第３の端子に対応するグランドレベルを示す第６の端子を備えていることを特徴とする請求項１３に記載の撮像装置。
【請求項１５】
前記複数の端子は、前記第１の段に、前記撮像装置に装着された前記アクセサリとの通信に対応した第７の端子、第８の端子、第９の端子、第１０の端子、第１１の端子、第１２の端子を備えていることを特徴とする請求項１４に記載の撮像装置。
【請求項１６】
第１のマウントを備える撮像装置に着脱できるアクセサリであって、
前記撮像装置の前記第１のマウントと結合が可能な第２のマウントは、
当該第２のマウントの周方向に沿って配され、前記撮像装置に設けられた対応する端子との電気的な接続に用いる複数の端子と、
前記複数の端子を保持する端子保持部と、
を有し、
前記複数の端子のそれぞれは、前記撮像装置において前記第１のマウントの周方向に沿って配された複数の端子と電気的に接続でき、
前記端子保持部は、前記第２のマウントの中心軸と平行な方向に段差を備え、
前記複数の端子は、前記アクセサリが前記撮像装置に装着されたことを検出するのに用いる第１の端子を備え、
前記端子保持部は、少なくとも第１の段と、前記アクセサリが前記撮像装置に装着された状態で当該第１の段よりも前記撮像装置側に突出した第２の段を有し、
前記第１の端子は、前記端子保持部の第１の段において、前記複数の端子のうちの他の端子よりも前記第２の段の近くに配されていることを特徴とするアクセサリ。
【請求項１７】
前記第２の段は、バヨネット結合による前記第２のマウントに対する前記第１のマウントの相対的な装着方向において、前記第１の段よりも奥に位置し、
前記第１の端子は、前記第２のマウントに対する前記第１のマウントの相対的な装着方向において、前記複数の端子のうちの他の端子よりも手前に配されていることを特徴とする請求項１６に記載のアクセサリ。
【請求項１８】
前記複数の端子は、前記第１の段よりも前記第２の段に配された端子の数が少ないことを特徴とする請求項１７に記載のアクセサリ。
【請求項１９】
前記複数の端子は、前記第２の段に、前記複数の端子のうちの他の端子に対応するグランドレベルを示す第２の端子を備えていることを特徴とする請求項１７又は１８に記載のアクセサリ。
【請求項２０】
前記複数の端子は、前記第２の段に、前記アクセサリが前記撮像装置に装着された際に、前記撮像装置から通信用の電源を受けるための第３の端子を備えることを特徴とする請求項１９に記載のアクセサリ。
【請求項２１】
前記第３の端子は、前記第２の段で、前記第２のマウントに対する前記第１のマウントの相対的な回転方向において、前記複数の端子のうちの他の端子よりも奥に配されていることを特徴とする請求項１９又は２０に記載のアクセサリ。
【請求項２２】
前記第２の端子は、前記第２の段で、前記第２のマウントに対する前記第１のマウントの相対的な回転方向において、前記複数の端子のうちの他の端子よりも手前に配されていることを特徴とする請求項１９乃至２１の何れか一項に記載のアクセサリ。
【請求項２３】
前記第１の端子は、前記アクセサリが前記撮像装置に装着される際に、前記複数の端子のうちで、対応する前記撮像装置側の端子と最後に接続され、前記撮像装置に対する前記アクセサリの装着を解除する際に、前記複数の端子のうちで、対応する前記撮像装置側の端子との接続が最初に解除されることを特徴とする請求項１６に記載のアクセサリ。
【請求項２４】
前記複数の端子は、前記撮像装置側の端子と電気的な接続が可能であって、
前記第１の端子は、前記複数の端子の中で、接点面の前記周方向における幅が、前記複数の端子のうちの他の端子よりも狭いことを特徴とする請求項１６乃至２３の何れか一項に記載のアクセサリ。
【請求項２５】
前記複数の端子は、前記撮像装置側の端子と電気的な接続が可能な接点ピンであって、前記第１の端子と前記第２の端子との端子間のピッチは、前記複数の端子のうちの他の端子同士の端子間のピッチよりも広いことを特徴とする請求項１９乃至２２の何れか一項に記載のアクセサリ。
【請求項２６】
前記複数の端子は、前記第２の段に、前記アクセサリが前記撮像装置に装着された際に、前記撮像装置から前記アクセサリが備えるアクチュエータの駆動に用いる電源を受けるための第４の端子を備えることを特徴とする請求項２０に記載のアクセサリ。
【請求項２７】
前記複数の端子は、前記第２の段に、前記アクセサリの種類を示す信号を出力する第５の端子を備えていることを特徴とする請求項２６に記載のアクセサリ。
【請求項２８】
前記複数の端子は、前記第１の段に、前記第３の端子に対応するグランドレベルを示す第６の端子を備えていることを特徴とする請求項２７に記載のアクセサリ。
【請求項２９】
前記複数の端子は、前記第１の段に、前記アクセサリが装着された前記撮像装置との通信に対応した第７の端子、第８の端子、第９の端子、第１０の端子、第１１の端子、第１２の端子を備えていることを特徴とする請求項２８に記載のアクセサリ。
【請求項３０】
前記アクセサリは、前記撮像装置に着脱可能な交換レンズまたはアダプタ装置であることを特徴とする請求項１６乃至２９の何れか一項に記載のアクセサリ。
【発明の詳細な説明】
【技術分野】
【０００１】
本発明は、他の機器との電気的な接続が可能な端子をマウントに備えた、撮像装置およびアクセサリに関する。
【背景技術】
【０００２】
従来、撮像装置に着脱可能なアクセサリ（カメラアクセサリ）は、撮像装置に装着された状態で、該撮像装置から電源の供給を受ける、または、該撮像装置との間で種々の命令やデータ等の通信を行うことが知られている。一般的に、上述したような電源供給や通信を行うために、撮像装置とアクセサリとのマウントと称する装着部には、互いに接触することで電気的に接続される複数の端子が設けられる。そして、これらの複数の端子のそれぞれが、異なる通信系統で独立した通信を行う場合もある。
【０００３】
例えば、特許文献１に記載の技術では、バヨネット結合方式で撮像装置に対してアクセサリを着脱する際に、撮像装置側に設けられたアクセサリの装着検知用の端子が、アクセサリ側の電源系の端子と摺動しないような端子の配置について開示されている。
【先行技術文献】
【特許文献】
【０００４】
【特許文献１】特開２０１４−０３８３００号公報
【発明の概要】
【発明が解決しようとする課題】
【０００５】
ここで、撮像装置およびアクセサリの高機能化によって、両者の間で送受信するデータ量は増加するため、この場合、撮像装置およびアクセサリにおける端子の数を増やすのが望ましい。
【０００６】
しかしながら、上述した特許文献１に記載の技術のように、バヨネット結合方式などを採用した撮像装置およびアクセサリでは、端子数の増加に起因して、撮像装置に対するアクセサリの着脱による端子同士の摩耗が増加してしまう。この場合、摩耗によって各端子の絶縁抵抗の減少や、端子間のショート（短絡）、または、各端子の接触抵抗の増加など、端子同士の電気的な接続に係る信頼性が低下してしまう。
【０００７】
また、上述した特許文献１に記載の技術のように、バヨネット結合方式などを採用し、装着検知用の端子を設ける場合は、対応する端子同士の電気的な接続が確立していない状態で、アクセサリの装着が誤検知されることを防止するのが好ましい。
【０００８】
本発明の目的は、電気的な接続に係る信頼性の低下を抑制しつつ、撮像装置に対するアクセサリの装着に関する誤検知を防止することである。
【課題を解決するための手段】
【０００９】
上記目的を達成するために、本発明の撮像装置は、第１のマウントを備えるアクセサリを装着可能な撮像装置であって、前記アクセサリの前記第１のマウントと結合が可能な第２のマウントは、当該第２のマウントの周方向に沿って配され、前記アクセサリに設けられた対応する端子との電気的な接続に用いる複数の端子と、前記複数の端子を保持する端子保持部と、を有し、前記複数の端子のそれぞれは、前記アクセサリにおいて前記第１のマウントの周方向に沿って配された複数の端子と電気的に接続でき、前記端子保持部は、前記第２のマウントの中心軸と平行な方向に段差を備え、前記複数の端子は、前記撮像装置に前記アクセサリが装着されたことを検出するのに用いる第１の端子を備え、前記端子保持部は、少なくとも第１の段と、前記撮像装置に前記アクセサリが装着された状態で当該第１の段よりも前記アクセサリ側に突出した第２の段を有し、前記第１の端子は、前記端子保持部の前記第１の段において、前記複数の端子のうちの他の端子よりも前記第２の段の近くに配されていることを特徴とする。
【発明の効果】
【００１０】
本発明によれば、電気的な接続に係る信頼性の低下を抑制しつつ、撮像装置に対するアクセサリの装着に関する誤検知を防止することができる。
【図面の簡単な説明】
【００１１】
【図１】本発明の実施形態に係るカメラ本体１００に対して、装着可能なカメラアクセサリの種類を例示的に説明したシステム図である。
【図２】本発明の実施形態に係る第１の交換レンズ２００と、該第１の交換レンズ２００を直接結合できるカメラ本体１００を含むカメラシステムを例示的に説明するブロック図である。
【図３】本発明の実施形態に係る第１の交換レンズ２００がカメラ本体１００に接続された状態の両者の内部構成を例示的に説明するブロック図である。
【図４】本発明の実施形態に係るカメラマウントＡおよびレンズマウントＢの構成を例示的に説明する図である。
【図５】本発明の実施形態に係るカメラマウントＡとレンズマウントＢとの相対的な回転による各端子同士の接続状態を例示的に説明する図である。
【図６】本実施形態に係るカメラ本体１００に変換アダプタ４００を介して第２の交換レンズ３００を装着した状態を例示的に説明するブロック図である。
【図７】本発明の実施形態に係るカメラマウントＣとレンズマウントＤを例示的に説明する図である。
【図８】本発明の実施形態に係るカメラ本体１００に変換アダプタ４００を介して第２の交換レンズ３００を装着した場合の各マウント同士の接続状態について例示的に説明する図である。
【図９】本実施形態に係るカメラ本体１００に中間アクセサリ５００を介して第１の交換レンズ２００を装着した状態を例示的に説明するブロック図である。
【図１０】本発明の実施形態に係るカメラ本体１００に中間アクセサリ５００を介して第１の交換レンズ２００を装着した場合の各マウント同士の接続状態について例示的に説明する図である。
【図１１】本発明の実施形態に係るカメラ本体１００のＴＹＰＥ＿ＩＮ端子と各カメラアクセサリとの接続状態を例示的に説明する図である。
【図１２】カメラ本体１００に何れかのカメラアクセサリが装着された際の、第１の通信が開始されるまでの動作について例示的に説明するフローチャートである。
【図１３】本発明の実施形態に係る第２の通信に関する各動を例示的に説明するフローチャートである。
【図１４】本発明の実施形態に係る第３の通信におけるブロードキャスト通信を例示的に説明するタイミング図である。
【図１５】本発明の実施形態に係る第３の通信におけるＰ２Ｐ通信を例示的に説明するタイミング図である。
【図１６】本発明の実施形態に係るカメラマウントＡおよびレンズマウントＢにおけるＣＳ端子、ＤＣＡ端子、ＤＧＮＤ端子の内部構成を例示的に説明する図である。
【図１７】本発明の実施形態に係るＬＣＬＫ端子に隣接させる端子の違いに応じて電気回路に生じる影響について例示的に説明する図である。
【図１８】本発明の実施形態に係るカメラ本体１００のカメラマウントＡの内部構成について例示的に説明する図である。
【図１９】本発明の実施形態に係るカメラ本体１００と第１の交換レンズ２００の外観斜視図を例示的に説明する図である。
【図２０】本発明の変形例に係るマウント機構５０００の分解斜視図である。
【図２１】本発明の変形例に係るマウント機構５０００の非結合状態について例示的に説明する図である。
【図２２】本発明の変形例に係るマウント機構５０００の結合状態について例示的に説明する図である。
【発明を実施するための形態】
【００１２】
以下、本発明の実施形態について図面を参照しながら説明する。
【００１３】
（実施形態）
（撮像装置およびカメラアクセサリの接続システム）
以下、図１〜１９を参照して、本発明の実施形態について説明する。
【００１４】
まず、図１を用いて本発明の実施形態に係るレンズ交換方式を採用した撮像装置とカメラアクセサリとの接続例について説明する。図１は、本発明の実施形態に係るカメラ本体１００に対して、装着可能なカメラアクセサリの種類を例示的に説明したシステム図である。なお、本実施形態におけるカメラアクセサリとは、撮像装置に設けられたカメラマウントと結合可能なアクセサリマウントを備えた、交換レンズ、変換アダプタ、中間アクセサリなどを含む。具体的に、上述のアクセサリマウントとしては、カメラマウントにおいて光軸と略直交する円周方向に順に配された複数のカメラ爪およびカメラ凹部と係合可能な複数のアクセサリ凹部およびアクセサリ爪を備えている。そして、当該アクセサリマウントは、各マウントの爪と凹部が互いに嵌合した嵌合状態から、爪同士が光軸と平行な方向（以降は、単に光軸方向と称す）において互いに係合する係合状態へと移動可能である。なお、当該嵌合状態が後述するカメラアクセサリの装着開始状態であって、当該係合状態が後述するカメラアクセサリの装着完了状態である。
【００１５】
図１を参照して、カメラ本体１００に接続可能なカメラアクセサリについて説明する。第１の交換レンズ２００は、カメラ本体１００に直接的に装着可能なカメラアクセサリの１つであって、カメラ本体１００の後述するカメラマウントに直接結合できるアクセサリマウントとしてレンズマウントＢを備えている。また、中間アクセサリ５００は、カメラ本体１００に直接的に装着可能なカメラアクセサリの１つであって、カメラ本体１００に直接結合できるアクセサリマウントとしてレンズマウントＢと第１の交換レンズ２００に直接結合できるカメラマウントＡを備える。すなわち、第１の交換レンズ２００は、中間アクセサリ５００を介してカメラ本体１００に接続することもできる。
【００１６】
また、カメラ本体１００には、カメラ本体１００に直接的に装着可能な変換アダプタ４００を間に介して、第２の交換レンズ３００を間接的に装着できる。すなわち、第２の交換レンズ３００に設けられたアクセサリマウントであるレンズマウントＤは、カメラ本体１００に設けられたカメラマウントＡとは直接結合できない。そして、変換アダプタ４００に設けられたカメラマウントＣと第２の交換レンズ３００のレンズマウントＤとが直接結合（装着）可能である。
【００１７】
以上説明したように、カメラ本体１００に対しては、第１の交換レンズ２００、中間アクセサリ５００を間に介した第１の交換レンズ２００、変換アダプタ４００を間に介した第２の交換レンズ３００を装着可能である。なお、以降は、第１の交換レンズ２００、及び、第２の交換レンズ３００について共通する説明について、第１の交換レンズ２００と第２の交換レンズ３００を総称して交換レンズと称する。同様に、変換アダプタ４００と中間アクセサリ５００を総称してアダプタと称する。
【００１８】
（カメラ本体１００および第１の交換レンズ２００の基本構成）
次に、図２を参照してカメラ本体１００と第１の交換レンズ２００との基本構成について説明する。図２は、本発明の実施形態に係る第１の交換レンズ２００と、該第１の交換レンズ２００を直接結合（着脱）できるカメラ本体１００を含むカメラシステムを例示的に説明するブロック図である。図２においては、第１の交換レンズ２００およびカメラ本体１００に設けられたそれぞれのマウントの双方を総称してマウント部１と称す。第１の交換レンズ２００およびカメラ本体１００に設けられた各マウントの詳細については後述する。なお、本実施形態では、撮像装置（例えばカメラ本体１００）とカメラアクセサリ（例えば第１の交換レンズ２００）は互いに着脱自在である。
【００１９】
カメラ本体１００は、デジタルカメラに代表される撮像装置である。図２に図示するように、カメラ本体１００は、第１のレンズ２００の内部に設けられたレンズ１０によって導かれた被写体の光学像を光電変換して電気信号を出力する電荷蓄積型の固体撮像素子（以下、単に撮像センサと称す）１２を有する。また、カメラ本体１００は、撮像センサ１２から出力されたアナログ電気信号をデジタル信号に変換するＡ／Ｄ変換部１３と、該デジタル信号に対する種々の各種画像処理を行うことで映像信号を生成する画像処理部１４とを有する。画像処理部１４にて生成された映像信号（静止画像や動画像）は、表示部１５に表示可能、および記録媒体１６に記録可能である。
【００２０】
また、カメラ本体１００は、映像信号に対する処理を行う際のバッファとしての機能を果たすとともに、後述するカメラ制御部１０１が用いる動作プログラムを格納するメモリ１７を有する。
【００２１】
また、カメラ本体１００は、電源のオン／オフを行うための電源スイッチ、映像信号の記録を開始させる撮影スイッチ（レリーズスイッチ）および各種メニューの設定を行うための選択／設定スイッチ等を含むカメラ操作入力部１８を有する。また、カメラ本体１００は、カメラ本体１００およびカメラ本体１００に装着可能なカメラアクセサリの動作を統括的に制御するマイクロプロセッサ（ＣＰＵ）を含むカメラ制御部１０１を有する。カメラ制御部１０１は、例えば、カメラ操作入力部１８から入力された信号に基づき各種設定を行う、または、マウント部１を介して第１の交換レンズ２００に備えられた第１のレンズ制御部２０１との通信を制御する。
【００２２】
一方、第１の交換レンズ２００は、ズームレンズ、シフトレンズ、フォーカスレンズ等の複数のレンズ群および絞りなどの光量調節部材を備えた光学部材であるレンズ１０を有する。また、第１の交換レンズ２００は、当該複数のレンズ群や絞りなどの光学部材を移動または動作させるアクチュエータを備え、当該アクチュエータを駆動するレンズ駆動部１１を有する。また、第１の交換レンズ２００は、第１の交換レンズ２００の動作を統括的に制御するレンズ用のマイクロプロセッサ（ＬＣＰＵ）を含む第１のレンズ制御部２０１を有する。第１のレンズ制御部２０１は、例えば、マウント部１を介してカメラ制御部１０１との通信を制御する、または、レンズ駆動部１１を制御する。
【００２３】
（電気端子の基本構成）
次に、図３を参照して、カメラ本体１００と第１の交換レンズ２００との接続状態におけるカメラ内部構成について説明する。図３は、本発明の実施形態に係る第１のレンズ２００がカメラ本体１００に接続された状態の両者の内部構成を例示的に説明するブロック図である。なお、カメラマウントおよびレンズマウントは、ロック機構、マウント保持機構および複数の電気端子を含んでいる。各マウントの詳細については後述する。
【００２４】
図３に図示するように、マウント部１は、カメラ本体１００と第１の交換レンズ２００とを、互いに電気的に接続可能な複数の端子を備えている。カメラ本体１００において、当該複数の端子（カメラ側端子）は、リング状のカメラマウントＡにおける端子保持部に相当する接点保持部材１０５に設けられた複数の電気接点ピンとしてカメラ本体１００の外部に露出している（図４（ａ））。また、第１の交換レンズ２００において、当該複数の端子（アクセサリ側端子）は、リング状のレンズマウントＢにおける端子保持部に相当する接点面保持部材２０５に設けられた複数の電気接点面として第１の交換レンズ２００の外部に露出している（図４（ｂ））。カメラ本体１００側および第１の交換レンズ２００側の各電気接点ピンおよび電気接点面は、カメラ本体１００に第１の交換レンズ２００が装着された状態で互いに対応する接点同士が電気的に接続される。
【００２５】
なお、本実施形態において各マウントは、後述するように、各マウントに形成された複数の端子が各マウントの光軸方向において対応する端子同士の接触位置が異なるように、光軸方向（マウントの中心軸方向）に高さが異なる段差を備えている。これらの複数の端子は単一の部品としてユニット化されたものであって、各マウントにおいてそれぞれ端子は、単一の配線部としてフレキシブルプリント基板に接続されているものとする。
【００２６】
図１８は、本発明の実施形態に係るカメラ本体１００のカメラマウントＡの内部構成について例示的に説明する図である。例えば、図１８に図示するように、各端子は、単一のフレキシブルプリント基板１０６によって電気的に接続されており、カメラ本体１００の内部に設けられた内部基板（不図示）に接続されている。そして、接点保持部材１０５の各端子が保持される位置には、各端子が挿入可能な複数の孔部が設けられており、当該複数の孔部のそれぞれにカメラ側端子である端子１００１〜１０１２が挿入される。この状態で、抑え板１０７は、各端子を光軸方向における被写体側（マウント当接面側）に抑え、ビス１０８ａ、１０８ｂ、１０８ｃが抑え板１０７の貫通孔を挿通した状態で接点保持部材１０５に締結される。
【００２７】
なお、本実施形態では、カメラ本体１００におけるカメラマウントＡの単一ユニット構造について説明したが、後述する他のマウントについても、少なくとも、単一のフレキシブルプリント基板（配線）に複数の端子が電気的に接続されている点は共通する。
【００２８】
この構成は、例えば、各マウントの端子群を複数ユニットに分割してマウントの円周方向に点在させる場合と比較すると、各端子をまとめて、撮像センサ１２の前面に設けられた露光開口から離れた位置に配することができる。したがって、例えば、カメラ本体１００にカメラアクセサリが装着されている際にカメラマウント側に不要光が入射した場合に、金属部材により形成された端子によって反射された不要光が、被写体の撮影に及ぼす影響を低減することができる。また、各端子を単一のユニットとして形成することで、撮像装置およびカメラアクセサリの内部において配線が複雑化することを低減しつつ、マウント組み立て時の組立が容易となる。
【００２９】
以下、カメラマウントＡおよびレンズマウントＢの双方に共通する各端子の機能について説明する。ＶＤＤ端子１００１、２００１は、主に通信制御に用いられる通信電力としての通信制御用電源（ＶＤＤ）をカメラ本体１００からカメラアクセサリ（例えば第１の交換レンズ２００）に電源供給する端子である。なお、第１の交換レンズ２００に対して供給する電源の電圧は５．０Ｖとする。
【００３０】
ＶＢＡＴ端子１００２、２００２は、絞りやフォーカスレンズの駆動に用いるアクチュエータの機械的な駆動部の動作に用いる駆動電力としての駆動用電源（ＶＢＡＴ）をカメラ側からカメラアクセサリ側に電源供給する端子である。換言すると、ＶＢＡＴ端子１００２、２００２は、前記通信電力以外の電源を供給するために用いる端子である。なお、第１の交換レンズ２００に対して供給する電源の電圧は４．５Ｖとする。また上述したＶＤＤ端子およびＶＢＡＴ端子は、カメラ本体１００からカメラアクセサリに電源を供給するための電源系端子である。なお、ＶＢＡＴ端子に供給する電圧は、カメラ本体１００に装着されるアクセサリの種類に応じて、電源回路の出力設定を変更することで変更可能な構成であってもよい。
【００３１】
ＤＧＮＤ端子１０１２、２０１２は、通信制御用電源ＶＤＤに対応した接地端子（グランド端子）である。すなわち、ＤＧＮＤ端子１０１２、２０１２は、所定の端子に対応したグランドレベル（の電圧）を示す端子である。なお、本実施形態において接地とは、グランド端子の電圧のレベルを電池などの電源の負極側と略同一のレベル（グランドレベル）にすることである。
【００３２】
ＰＧＮＤ端子１００４、２００４は、カメラ本体１００とカメラアクセサリ（例えば第１の交換レンズ２００）側に設けられたモータ（アクチュエータ）等を含む機械的な駆動系の端子に対応するグラウンドレベルを示す端子である。すなわち、ＰＧＮＤ端子は、駆動用電源ＶＢＡＴに対応した接地端子（グランド端子）である。以上説明したＤＧＮＤ端子およびＰＧＮＤ端子は、カメラ本体１００とカメラアクセサリの各種電源系とをグランドレベルに接地するためのグランド端子である。
【００３３】
ＭＩＦ端子１００５、２００５は、カメラ本体１００にカメラアクセサリ（例えば第１の交換レンズ２００）が装着されたことを検出する端子である。カメラ制御部１０１は、ＭＩＦ端子が示す電圧のレベルを検出することで、カメラ本体１００にカメラアクセサリが装着されたことや離脱されたことを検出する。そして、カメラ制御部１０１は、当該検出により、例えばカメラアクセサリの装着を検出した後に、電源系端子への電源供給を開始し、カメラ本体１００とカメラアクセサリ間での通信を開始するように制御する。
【００３４】
ＴＹＰＥ端子１００３、２００３は、カメラ本体１００に装着されたカメラアクセサリ（例えば第１の交換レンズ２００）の種類を判別するための端子である。カメラ制御部１０１は、ＴＹＰＥ端子が示す信号の電圧の値を検出し、その値に基づいて、カメラ本体１００に装着されたカメラアクセサリの種類を判別する。なお、第１の交換レンズ２００では、ＴＹＰＥ端子は後述する所定の抵抗値でＤＧＮＤ端子にプルダウン接続される。なお、前記抵抗値はカメラアクセサリの種類に応じて異なる。
【００３５】
次に、カメラ本体１００とカメラアクセサリとの間における各種通信用の端子について説明する。なお、マウント部１に設けられた複数の通信端子は、複数の通信系（グループ）に分かれており、各通信系は独立して通信を行うことが可能である。本実施形態では、ＬＣＬＫ端子１００８、２００８、ＤＣＬ端子１００６、２００６、ＤＬＣ端子１００７、２００７は、第１の通信を行う第１通信部とする。また、ＤＬＣ２端子１００９、２００９は、第１の通信部とは独立した第２の通信を行う第２通信部とする。さらに、ＣＳ端子１０１１、２０１１、ＤＣＡ端子１０１０、２０１０は、第１、第２の通信部とは独立した第３の通信を行う第３通信部とする。本実施形態では、カメラ制御部１０１と第１のレンズ制御部２０１は、上述した複数の通信用端子を介して、それぞれ第１〜３のそれぞれ独立した通信を行うことができる。
【００３６】
ＬＣＬＫ端子１００８、２００８は、第１通信部の端子であり、カメラ本体１００からカメラアクセサリに出力される通信のクロック信号用の端子、および、アクセサリのビジー状態をカメラ本体１００が監視するための端子である。
【００３７】
ＤＣＬ端子１００６、２００６は、第１通信部の端子であり、カメラ本体１００とカメラアクセサリとの双方向の通信を行うための通信データ用の端子である。
【００３８】
ＤＬＣ端子１００７、２００７は、第１通信部の端子であり、カメラアクセサリ（例えば第１の交換レンズ２００）からカメラ本体１００へと出力される通信データ用の端子である。
【００３９】
上述した第１通信部に対応するＬＣＬＫ端子、ＤＣＬ端子、ＤＬＣ端子は、信号の出力方式を所謂ＣＭＯＳ出力タイプとオープンタイプに切り替えることができる。なお、本実施形態におけるＣＭＯＳ出力タイプとしては、電圧が示すＨ（Ｈｉｇｈ）とＬ（Ｌｏｗ）の双方にスイッチ出力を有するものである。これに対して、オープンタイプとしては、Ｌ側のみにスイッチ出力を有するものである。なお、本実施形態におけるオープンタイプは所謂オープンドレインタイプを示すが、オープンコレクタタイプであってもよい。
【００４０】
ＤＬＣ２端子１００９、２００９は、第２通信部の端子であり、カメラアクセサリ（例えば第１の交換レンズ２００）からカメラ本体１００へと出力される通信データ用の端子である。
【００４１】
ＤＣＡ端子１０１０、２０１０は、第３通信部の端子であり、カメラ本体１００とカメラアクセサリ（例えば第１の交換レンズ２００）との双方向の通信を行うための通信データ用の端子である。
【００４２】
ＣＳ端子１０１１、２０１１は、第３通信部の端子であり、カメラ本体１００とカメラアクセサリ（例えば、第１の交換レンズ２００）との通信要求用の信号端子である。なお、本実施形態において、カメラ本体１００に第１の交換レンズ２００が装着された場合に、第１〜第３通信部に対応する端子における通信電圧を３．０Ｖとする。
【００４３】
（マウント部１の構造）
次に、図４、５を参照して、カメラマウントＡおよびレンズマウントＢを含めた、マウント部１の構造について説明する。図４は、本発明の実施形態に係るカメラマウントＡおよびレンズマウントＢの構成を例示的に説明する図である。図４（ａ）は、カメラ本体１００に設けられたカメラマウントＡの正面図、図４（ｂ）は、第１の交換レンズ２００に設けられたレンズマウントＢの正面図を示す。図５は、本発明の実施形態に係るカメラマウントＡとレンズマウントＢとの相対的な回転による各端子同士の接続状態を例示的に説明する図である。図５（ａ）は、カメラマウントＡとレンズマウントＢとの装着開始状態、図５（ｂ）はカメラマウントＡとレンズマウントＢとの装着遷移状態、図５（ｃ）はカメラマウントＡとレンズマウントＢとの装着完了状態を示す。なお、図５の各図は、カメラマウントＡおよびレンズマウントＢの光軸と直交する方向から各マウントに設けられた端子を見た状態を示している。ここで、上述した光軸は、カメラマウントＡおよびレンズマウントＢの開口部分の中心を通る中心軸と平行である。
【００４４】
なお、図５（ａ）に図示する状態は、カメラマウントＡに設けられた複数の爪がレンズマウントＢに設けられた複数の凹部に挿入され、カメラマウントＡに設けられた複数の凹部にレンズマウントＢに設けられた複数の爪が挿入された状態である。この状態からレンズの装着方向へとカメラマウントＡとレンズマウントＢとを相対的に回転させることで、図５（ｃ）に図示するような、両マウントに設けられた互いに対応する端子同士が接続された状態へと遷移する。ここで、レンズ装着方向は、カメラマウントＡ（およびレンズマウントＢ）の中心軸と直交する方向であって、本実施形態では、カメラマウントＡ側を基準にした交換レンズの装着方向を示している。なお、（交換レンズの）光軸とマウント中心軸が一致する場合は、レンズ装着方向と光軸とが互いに直交する。そして、図５（ｃ）に図示する状態では、カメラマウントＡとレンズマウントＢの相対的な回転は、各マウントに設けられた回転規制部材であるロック機構（不図示）により、相対的な回転が規制される。
【００４５】
なお、図１９は、本発明の実施形態に係るカメラ本体１００と第１の交換レンズ２００の外観斜視図を例示的に説明する図である。図１９（ａ）は、カメラ本体１００に第１の交換レンズ２００が装着されている状態を示し、図１９（ｂ）は、カメラ本体１００から第１の交換レンズ２００が取り外された状態を示している。
【００４６】
図１９の各図に図示するように、カメラ本体１００と第１の交換レンズ２００は、それぞれ光軸に対して直交する方向に平行な当接面を備えたカメラマウントＡとレンズマウントＢを有している。このカメラマウントＡとレンズマウントＢの基準面同士が互いに接触した状態で、前述した装着開始位置から装着完了位置へとカメラ本体１００および第１の交換レンズ２００を相対的に回転することができる。
【００４７】
また、図５（ｂ）に図示する状態は、前述したカメラマウントＡとレンズマウントＢの装着開始状態から装着完了状態の間において、ＰＧＮＤ端子同士のみが、他の対応する端子同士よりも先に接続を開始した状態である。この詳細については後述する。
【００４８】
ここで、本実施形態では、カメラマウントに備えられた電気端子を接点ピン、レンズマウントに備えられた電気端子を接点面（または接片）と称して以降の説明をする。なお、カメラマウントに備られた端子を接点面とし、レンズマウントに備えられた端子を接点ピンとする構成であってもよい。
【００４９】
本実施形態のマウント部１は、図４、図５の各図に図示するように、光軸方向に段差が付いた２段構成のマウントとなっている。図５（ａ）に図示するように、カメラ本体１００のカメラマウントＡにおいては、被写体側に突出した段をカメラマウント上段（第２の段）、撮像素子側の段をカメラマウント下段（第１の段）と称する。すなわち、カメラマウント上段の方がカメラマウント下段よりも、光軸方向にいて被写体側（またはカメラアクセサリ側）に突出している。
【００５０】
また、図５（ｂ）に図示するように、第１の交換レンズ２００のレンズマウントＢにおいては、被写体側に窪んだ段をレンズマウント下段（第２の段）、カメラマウントに装着された際に撮像素子側に突出した段をレンズマウント上段（第１の段）と称する。すなわち、カメラマウントにレンズマウントが装着された状態で、レンズマウント上段の方がレンズマウント下段よりも、光軸方向にいて撮像装置側に突出している。なお、カメラマウント上段の端子はレンズマウント下段の端子のみと接触可能であって、カメラマウント下段の端子はレンズマウント上段の端子とのみ接触するような構造となっている。また、カメラマウントＡにおいては、レンズマウントＢとの相対的な回転方向（アクセサリの装着方向）の手前側にカメラマウント下段が位置し、奥側にカメラマウント上段が位置する。また、レンズマウントＢにおいては、カメラマウントＡとの相対的な回転方向の手前側にレンズマウント上段が位置し、奥側にレンズマウント下段が位置する。
【００５１】
なお、本実施形態では、電気的な接続に用いる端子が配設される位置（マウントの中心軸と平行な方向における）を異ならせるために、カメラマウントＡおよびレンズマウントＢの双方に段差を設ける構成であるが、これに限定するものではない。各マウントにおいて、端子が配される位置を異ならせる構成であれば、どのようなものを採用してもよい。例えば、マウントの中心軸と平行な方向に、端子が配される位置を連続的に異ならせるような傾斜を設ける、あるいは、マウントの中心軸と平行な方向に突設する端子自体の突出量を異ならせる構成であってもよい。
【００５２】
また、図５（ｃ）に示す通り、レンズマウントＢは、レンズマウントＢおよびカメラマウントＡのそれぞれに設けられた各端子同士が摺動し接触しながら、カメラマウントＡに対して相対的に回転（図中の右方向）に移動する。そして、例えば、カメラ本体１００と第１の交換レンズ２００との装着が完了した状態で、カメラマウントＡの各接点ピンと対になる（対応する）レンズマウントＢの各接点面とがそれぞれ独立して電気的に接続される。なお、以降は、説明を簡単化するため、カメラマウントＡおよびレンズマウントＢにおいて電気的に対となる（対応する）端子同士が電気的に導通することを接続と称し、電気的に対とならない（対応しない）端子同士が電気的に導通することを接触と称する。
【００５３】
なお、本実施形態では、カメラマウントＡ側に設けられた複数の爪群およびレンズマウントＢ側はそれぞれバヨネット爪であって、所謂バヨネット結合方式により光軸方向において爪群同士が係合することで、両者の装着（結合）が完了する。
【００５４】
以下、本実施形態に係るマウント部１の各端子の並び順について説明する。なお、本実施形体においてレンズ（アクセサリ）装着方向とは、カメラマウントＡを基準としたレンズマウントＢの相対的な回転（装着）方向とする。したがって、アクセサリの装着方向を基準とした場合、カメラマウントＡに設けられた端子のうち、最後にレンズマウントＢに設けられた端子と接触する端子（ＶＤＤ端子）が位置する側がレンズ装着方向の奥側、その反対側が手前側となる。そして、レンズマウントＢに設けられた端子のうち、最初にカメラマウントＡに設けられた端子と接触する端子（ＶＤＤ端子）が位置する側がレンズ装着方向の奥側、その反対側が手前側である。図５（ａ）に図示するように、カメラマウント上段には、レンズ装着方向の奥側（終端）から順に、ＶＤＤ端子１００１、ＶＢＡＴ端子１００２、ＴＹＰＥ端子１００３、ＰＧＮＤ端子１００４が配置される。なお、レンズ装着方向の奥側とは、カメラ本体１００に第１の交換レンズ２００を装着する際に、最後にレンズ側の端子と接触する端子が位置する側である。
【００５５】
カメラマウント下段には、レンズ装着方向の奥側から順に、ＭＩＦ端子１００５、ＤＣＬ端子１００６、ＤＬＣ端子１００７、ＬＣＬＫ端子１００８、ＤＬＣ２端子１００９、ＤＣＡ端子１０１０、ＣＳ端子１０１１、ＤＧＮＤ端子１０１２が配置される。
【００５６】
同様に、レンズマウント下段には、レンズ装着方向の奥側から順に、ＶＤＤ端子２００１、ＶＢＡＴ端子２００２、ＴＹＰＥ端子２００３、ＰＧＮＤ端子２００４が配置される。レンズマウント上段には、レンズ装着方向の奥側から順に、ＭＩＦ端子２００５、ＤＣＬ端子２００６、ＤＬＣ端子２００７、ＬＣＬＫ端子２００８、ＤＬＣ２端子２００９、ＤＣＡ端子２０１０、ＣＳ端子２０１１、ＤＧＮＤ端子２０１２が配置される。
【００５７】
すなわち、カメラマウント上段、及び、レンズマウント下段には、それぞれ４つの端子が配され、カメラマウント下段、及び、レンズマウント上段にはそれぞれ８つの端子が配されている。そして、カメラマウント上段とレンズマウント下段の方が、カメラマウント下段とレンズマウント上段よりも端子（露出している接点）の数が少なく構成されている。
【００５８】
バヨネット結合方式のように、カメラマウントとレンズマウントとを相対的に回転させて、撮像装置とカメラアクセサリとの着脱を行う場合、着脱の際に各マウントに設けられている端子同士が摺動する。一般的に、光軸方向における同一面では、カメラマウント側では、レンズ装着方向の最も奥側に存在する接点ピンについては、撮像装置へのカメラアクセサリの着脱の際に、対応しないアクセサリ側の接点面と摺動することはない。また、光軸方向の同一面において、レンズマウント側では、レンズ装着方向の最も手前側に存在する接点面については、撮像装置へのカメラアクセサリの着脱の際に、対応しないカメラ側の接点ピンと摺動することはない。すなわち、カメラマウントにおいて、他の接点ピン（端子）よりも奥に存在する接点ピン（端子）は、レンズマウントに設けられた接点面（端子）のうち、撮像装置へのカメラアクセサリの装着した状態で互いに接触する接点面以外の接点面とは慴動（接触）しない。また、レンズマウントにおいて、他の接点面（端子）よりも手前に存在する接点面（端子）は、カメラマウントに設けられた接点ピン（端子）のうち、撮像装置へのカメラアクセサリの装着した状態で互いに接触する接点ピン以外の接点ピンとは慴動（接触）しない。
【００５９】
しかしながら、これらの端子以外の他の端子については、カメラマウントに対するレンズマウントの着脱回数が増えるほど、端子が摩耗してしまう。特に、カメラマウントの端子（接点ピン）は、光軸と平行な方向に進退（突出および引き込み）が可能な可動式のピンであって、レンズマウントの端子（接点面）に対して先端の１点で摺動するので、摺動に対する接点ピンの耐久性を向上させる必要がある。
【００６０】
上述した問題は、光軸と直交する同一面において一列に配された端子の数が増えるほど顕著であり、接点ピンと接点面の摺動回数は増加する。そして、接点ピンおよび接点面の摩耗により、端子の接触インピーダンスが上昇するため電圧降下が大きくなり、電気回路の動作許容電圧範囲を下回ることで、例えば交換レンズの誤動作が発生する虞がある。
【００６１】
そこで、本実施形態では、端子同士の摺動回数を低減するために、光軸方向において端子が保持される位置を上段および下段の２段に異ならせ、上段および下段側でカメラ側の接点ピンと交換レンズ側の接点面との接触高さを異ならせる。この構成により、端子を保持する段ごとに、端子同士の摩耗を低減することができる。
【００６２】
さらに、本実施形態では、マウントの上段と下段とで保持する端子数をそれぞれ異ならせているため、例えば、複数の端子の中で重要度が高い端子を、端子数が少ない側に配することで、重要な端子の摩耗を低減することができる。具体的に、端子数の少ないカメラマウント上段およびレンズマウント下段に、接触インピーダンスの上昇を極力抑えたい信号の端子である電源系端子（ＶＤＤ端子、ＶＢＡＴ端子、ＰＧＮＤ端子）を配置する。一方、カメラマウント下段、及び、レンズマウント上段には、インピーダンス上昇による影響を受けにくい（電源系端子と比較して）、主に通信を行うための端子が配置される。この構成により、アクセサリに対して安定した電源供給が可能であって、カメラアクセサリの各動作（例えばフォーカス制御など）を安定化させることに寄与する。
【００６３】
なお、カメラマウントＡにおけるＤＧＮＤ端子１０１２は、カメラマウント下段に位置し、且つ、レンズ装着方向の最も手前側（始端）に配されているため、カメラ側における接点ピンの摺動による耐久性に関して最も不利な場所に位置する。しかしながら、カメラアクセサリに設けられた電気回路や素子を静電気などから守ることを目的とし、ＤＧＮＤ端子は、カメラマウントに形成された金属部分を物理的にグランド接続される必要がある。本実施形態においてＤＧＮＤ端子は、上記の理由による加工を容易とするために、ＤＧＮＤ端子をレンズ装着方向の最も手前側に配置する。
【００６４】
また、本実施形態では、ＤＧＮＤ端子の方がＰＧＮＤ端子よりも端子に流す電流値のレベルが小さいシステムを想定している。したがって、本実施形態では、端子に流す電流値のレベルが大きいＰＧＮＤ端子を、配する端子数が少なく接触インピーダンスの上昇を低減するのに有利なカメラマウント上段（レンズマウント下段）に配する。
【００６５】
次に、本実施形態のカメラマウントＡでは、カメラマウント上段のレンズ装着方向の奥側から見て１番目と２番目に２つの電源系の接点ピン（ＶＤＤ端子１００１、ＶＢＡＴ端子１００２を配する。また、本実施形態のカメラマウントＡでは、ＴＹＰＥ端子１００３が、電源系端子に隣接して配されている。さらに、本実施形態のレンズマウントＢでは、レンズマウント下段におけるレンズ装着方向の奥側から見て１番目と２番目に２つの電源系接点面（ＶＤＤ端子２００１、ＶＢＡＴ端子２００２）が配されている。また、本実施形態のレンズマウントＢでは、ＴＹＰＥ端子２００３が、電源系端子に隣接して配されている。なお、上述した端子同士の隣接している状態は、マウントにおいて各端子が隣り合っている状態を示す。
【００６６】
上述した構成により、本実施形態のマウント部１においては、電源系の２端子（ＶＤＤ端子とＶＢＡＴ端子）とＰＧＮＤ端子とが互いに隣接しない。したがって、電源系の２端子とＰＧＮＤ端子との端子間でのショート（短絡）を低減し、当該ショートによるカメラ側に設けられた電源回路の誤動作や故障を防止することができる。
【００６７】
なお、ＶＢＡＴ端子１００２とＰＧＮＤ端子１００４との間に配置されたＴＹＰＥ端子１００３は、ＴＹＰＥ端子１００３の信号ラインに保護素子を備えることで、カメラ本体１００の電気回路を保護することが可能である。
【００６８】
ここで、ＴＹＰＥ端子以外の端子も、ＴＹＰＥ端子１００３と同様に保護素子を信号ラインに付加すれば、ＴＹＰＥ端子と同様の対策が可能ではある。しかしながら、前述したように、ＤＣＬ端子、ＤＬＣ端子、ＬＣＬＫ端子、ＤＬＣ２端子、ＤＣＡ端子、ＣＳ端子は、それぞれ通信用の端子であるため、保護素子を付加することで配線容量が増加してしまう。この場合、配線容量の増加に伴い通信波形の立上がりや立下りの応答性が乱れるなど、通信に影響を与えることがあるため、通信用の端子にはできるだけ保護素子を設けない構成が望ましい。
【００６９】
これに対して、本実施形態のマウント部１において、ＴＹＰＥ端子１００３は信号電圧が一定であり、例えば、カメラ本体１００に第１の交換レンズ２００が装着されている間はこの信号値は変化しない。したがって、本実施形態のマウント部１のように、ＴＹＰＥ端子１００３に保護素子などを付加したとしても、カメラ本体１００および第１の交換レンズ２００が実行する動作に与える影響は少ない。
【００７０】
なお、ＭＩＦ端子１００５についてもＴＹＰＥ端子１００３と同様に、信号電圧が一定であるため、ＴＹＰＥ端子１００３と同様に保護素子を備える構成であってもよい。しかしながら、本実施形態のマウント部１では、ＭＩＦ端子１００５は電源系端子の隣には配置しない。この理由については後述する。
【００７１】
次に、図５（ｃ）に図示するように、カメラマウントＡおよびレンズマウントＢでは、ＶＤＤ端子とＶＢＡＴ端子との端子間のピッチＷ２（距離）が基本ピッチＷ１よりも広くなるように構成されている（Ｗ２＞Ｗ１）。また、カメラマウントＡおよびレンズマウントＢでは、ＭＩＦ端子とＰＧＮＤ端子とは各マウントの光軸方向の異なる段に保持されており、端子間のピッチＷ３は基本ピッチＷ１およびピッチＷ２よりも広くなるように構成されている（Ｗ３＞Ｗ２＞Ｗ１）。なお、端子間のピッチとは、本実施形態においては、レンズマウントＢの装着方向（回転方向）における各端子（接点ピンおよび接点面）の中心間（中心線間）の距離とするが、端子に設けられた導通部分間（金属領域間）の距離としてもよい。また、カメラマウントＡにレンズマントＢが装着された場合、隣接する端子同士において、対応する接点ピンと接点面との接触箇所（接続点）の間の距離を端子間のピッチとしてもよい。
【００７２】
なお、本実施形態では、レンズマウントＢの円周方向における、ＶＤＤ端子２００１とＶＢＡＴ端子２００２の接点面の幅が後述する基本幅である場合について説明したがこれに限定されるものではない。例えば、ＶＤＤ端子２００１とＶＢＡＴ端子２００２の接点面の幅を基本幅より広い、または、基本幅より狭い構成であってもよい。この場合、基本幅に対するＶＤＤ端子２００１とＶＢＡＴ端子２００２の幅の差異を考慮して、ＶＤＤ端子とＶＢＡＴ端子間のピッチを設定する必要がある。例えば、ＶＤＤ端子２００１とＶＢＡＴ端子２００２の幅がレンズ離脱方向に向けて基本幅よりも広い場合、ＶＤＤ端子とＶＢＡＴ端子のピッチを、前述した基本幅に対する差分の分だけ広げる必要がある。
【００７３】
上述した基本ピッチとしては、カメラ本体１００の製造および組み立てに係るガタと公差を考慮して設定された端子同士の距離である。なお、基本ピッチが設定されたカメラマウントＡ側の接点ピンは、折れ曲がり等の変形や導電性の異物などが端子間に存在しない限り、後述する基本幅が設定されたレンズマウントＢ側の１つの接点面と複数の接点ピンとが同時に接触しない構成である。したがって、カメラマウントＡ側の接点ピンが、レンズマウントＢ側の接点面の２箇所以上と接触することで、隣接する端子同士がショートすることを防止することができる。以降の説明では、特記無き接点ピンの隣接する端子とのピッチは基本ピッチが設定されているものとする。
【００７４】
また、上述した基本幅とは、カメラアクセサリの製造および組み立てに係るガタと公差を考慮して設定されたレンズマウントＢ側の接点面の幅とする。なお、接点面の幅とは、レンズマウントＢの装着方向（回転方向）における各接点面の幅である。前述したように、カメラマウントＡ側で基本ピッチが設定された複数の接点ピン同士が、基本幅が設定された１つの接点面と同時に接触することはない。そして、基本幅が設定されたレンズマウントＢ側の接点面は、カメラ側の接点ピンの変形や導電性の異物などが接点ピン間に存在しない限り、カメラアクセサリの装着状態において、撮像装置側の接点ピンがカメラアクセサリ側の接点面から脱落することはない。以降の説明では、特記無き接点面の幅は基本幅が設定されているものとする。
【００７５】
また、本実施形態のカメラ側のＶＤＤ端子１００１とＶＢＡＴ端子１００２の端子間ピッチを、ユニットの小型化と電源の安全性とを考慮して、基本幅が設定されたアクセサリ側のＶＤＤ端子２００１及びＶＢＡＴ端子２００２の幅より約３°広く設定する。この構成により、カメラ側のＶＤＤ端子やＶＢＡＴ端子の変形や当該端子間に導電性の異物が存在する場合であっても、アクセサリ側のＶＤＤ端子と上述した２つの端子が同時に接触状態となることを低減できるので、隣接する端子間のショートを低減できる。
【００７６】
なお、本実施形態では、カメラマウントＡの円周方向において、ＶＤＤ端子１００１とＶＢＡＴ端子１００２の端子間ピッチを基本ピッチに対して３°広げる場合について説明したが、これに限定されるものではない。本実施形態としては、少なくとも、カメラマウントＡとレンズマウントＢとの相対的な回転方向において端子間のピッチを広げる構成であればよい。
【００７７】
次に、本実施形態のマウント部１では、カメラマウント上段におけるレンズ装着方向の最も手前側にＰＧＮＤ端子１００４が配され、レンズマウント下段におけるレンズ装着方向の最も手前側にＰＧＮＤ端子２００４が配されている。
【００７８】
また、レンズマウントＢにおけるＰＧＮＤ端子２００４は、前述した基本幅よりも幅が広い接点面であって、レンズマウントＢに設けられた複数の端子の中で、接点面の幅が最も広い端子である。なお、本実施形態では、上述した接点面の幅は、対応する端子同士の電気的に接続される箇所（接続点）を基準として、カメラマウントＡにレンズマウントＢの装着を解除する方向（離脱方向）に向けた接点面の幅とする。この離脱方向は、レンズマウントＢの装着方向における手前側と同義である。なお、接点面の幅を、単にマウントの円周方向における接点面の中心を基準として、カメラマウントＡにレンズマウントＢの装着を解除する方向（離脱方向）に向けた接点面の幅とする構成であってもよい。
【００７９】
この構成により、ＰＧＮＤ端子２００４は、カメラ本体１００に第１の交換レンズ２００が装着される際に、全ての端子の中で対応する端子と最初に電気的に接続される端子である。また、ＰＧＮＤ端子２００４は、カメラ本体１００に第１への交換レンズ２００の装着が解除（離脱）される際に、全ての端子の中で対応する端子と最後に電気的な接続が解除される端子である。
【００８０】
例えば、ＰＧＮＤ端子が電源系の端子（ＶＤＤ端子、ＶＢＡＴ端子）よりもレンズ装着方向の奥側に配されている場合を想定する。この場合、例えば、カメラ本体１００から第１の交換レンズ２００を離脱させる際に、レンズマウントのＰＧＮＤ端子がカメラマウントの電源系端子と摺動してしまう場合がある。この場合、第１の交換レンズ２００を離脱方向へと回転させる速さによっては、レンズマウントのＰＧＮＤ端子がカメラマウントの電源系端子と瞬間的に接触してしまう。したがって、上記の問題により、電源系端子に接続された後述するカメラ本体１００のカメラ電源部１０３の出力がショートしてしまい、電源供給に係る誤動作や電源制御における誤動作が生じる虞がある。
【００８１】
また、例えばＰＧＮＤ端子が他の端子より先にレンズマウント側の接点面との接続が解除される構成を想定する。この場合、特にカメラマウントＡ側とレンズマウントＢ側の電源系の端子同士の接続が解除されておらず、カメラ本体１００からの電源供給が維持された状態でＰＧＮＤ端子同士の接続が解除されてしまうと、両機器において誤動作や不具合が生じる虞がある。
【００８２】
上述した問題に対して、本実施形態のマウント部１は、カメラ本体１００に対して第１の交換レンズ２００を着脱時に、レンズマウントＢのＰＧＮＤ端子２００４がカメラマウントＡのＰＧＮＤ端子１００４を除く他の端子の何れとも摺動しない（接触しない）。この構成により、カメラマウントＡの電源系端子（ＶＤＤ端子、ＶＢＡＴ端子）が瞬間的にレンズマウントＢのＰＧＮＤ端子２００４と接触しないため、両端子がショートすることを低減することができる。
【００８３】
また、本実施形態のマウント部１において、前述した全端子の中で、両マウントにおけるＰＧＮＤ端子同士は、カメラ側に対してカメラアクセサリを装着する際は最初に接続され、離脱する際は最後に接続が解除される。換言すると、カメラ側からカメラアクセサリを取り外す（離脱する）際は、マウント部１において、ＰＧＮＤ端子を除く他の対応する端子同士の接続が解除されるまで、ＰＧＮＤ端子はカメラ側マウントとレンズ側マウントとの端子同士で接続状態を維持する。この構成により、カメラマウントＡおよびレンズマウントＢにおいて、電源供給が維持された状態でＰＧＮＤ端子同士の接続が解除された所謂グランドのフローティングを回避し、両機器における誤動作や不具合を低減することができる。
【００８４】
なお、図５（ｃ）に図示するように、カメラマウントＡおよびレンズマウントＢにおいて、ＰＧＮＤ端子１００４と隣接するＴＹＰＥ端子１００３との端子間のピッチは、前述した基本ピッチよりも広い（Ｗ２＞Ｗ１）。具体的には、基本ピッチに対して、ＰＧＮＤ端子２００４のレンズマウントＢの装着を解除する方向（離脱方向）に向けた接点面の幅を広くした分と略同じ分だけ、ＰＧＮＤ端子１００４とＴＹＰＥ端子１００３との端子間のピッチを広くする。この構成により、レンズマウントＢのＰＧＮＤ端子２００４を基本幅よりも広くしたことに起因した、ＰＧＮＤ端子２００４とＰＧＮＤ端子１００４およびＴＹＰＥ端子１００３が同時に接触することを低減し、隣接端子同士のショートを低減できる。
【００８５】
次に、図５の各図に図示するように、本実施形態のマウント部１において、カメラマウント下段におけるレンズ装着方向の最も奥側にＭＩＦ端子１００５が配され、レンズマウント上段におけるレンズ装着方向の最も奥側にＭＩＦ端子２００５を配する。この構成により、カメラマウントＡ側に対するレンズマウントＢの装着状態を検出する端子であって、カメラ、カメラアクセサリ間の通信を開始および終了する上でのトリガーとなる重要な端子であるＭＩＦ端子の摩耗を低減することができる。
【００８６】
さらに、レンズマウントＢのＭＩＦ端子２００５は、レンズマウントのＢの相対回転方向において、前述した基本幅を備えた接点面よりも接点面の幅を狭くする。具体的に、本実施形態のレンズマウントＢでは、製造および組み立てに係るガタや公差を考慮した場合であっても上述した端子同士の接続順が守られるように、ＭＩＦ端子２００５の幅を基本幅よりも約１°狭く（短く）する。この構成により、ＭＩＦ端子同士は、カメラ側に対してカメラアクセサリを装着し際は、マウント部１が備える前述した全ての端子の中で最後に接続され、離脱する際は最初に接続が解除される。
【００８７】
したがって、本実施形態のマウント部１においては、カメラマウントＡに対してレンズマウントＢを完全に装着されていない状態で、カメラ側においてカメラアクセサリの装着が誤検出されることがない。この構成により、例えば、電源系の端子同士の接続がされていない状態においてカメラアクセサリの装着が誤検出されることを抑制し、カメラ側からカメラアクセサリ側に対する電源供給前におけるカメラの誤動作を低減することができる。
【００８８】
次に、図５の各図に図示するように、本実施形態のカメラマウントＡにおいては、カメラマウント下段におけるレンズ装着方向の最も手前側にＤＧＮＤ端子１０１２が配され、ＤＧＮＤ端子１０１２に隣接するようにＣＳ端子１０１１が配される。また、本実施形態のレンズマウントＢにおいては、レンズマウント上段におけるレンズ装着方向の最も手前側にＤＧＮＤ端子２０１２が配され、ＤＧＮＤ端子２０１２に隣接するようにＣＳ端子２０１１が配される。なお、ＣＳ端子の配置の詳細は後述する。また、前述したように、ＤＧＮＤ端子は、マウントの金属部分を物理的にグランドへと接続するための加工の容易性を考慮して、レンズ装着方向の最も手前側に配される。
【００８９】
次に、図５の各図に図示するように、本実施形態のマウント部１においては、ＭＩＦ端子に隣接して、第１通信部の端子群（ＬＣＬＫ端子、ＤＣＬ端子、ＤＬＣ端子）が配されている。また、本実施形態のマウント部１においては、第２、第３の通信部の端子群よりも、レンズ装着方向の奥側に第１の通信部に対応する端子群を配されている。
【００９０】
この構成により、カメラマウント下段およびレンズマウント上段においては、ＭＩＦ端子１００５の次に第１の通信部に対応する端子の摩耗を低減することができる。そして、上述した構成により、カメラ側およびレンズ側との間で実行される通信の中で特に重要な第１の通信を行う第１の通信部に対応する端子群の摩耗を、他の通信端子よりも低減することができる。
【００９１】
次に、図５の各図に図示するように、本実施形態のマウント部１においては、カメラマウント下段の第１通信部に対応する端子群に隣接するようにＤＬＣ２端子１００９が配されている。また、本実施形態のマウント部１においては、レンズマウント上段の第１通信部に対応する端子群の隣接するようにＤＬＣ２端子２００９が配されている。この詳細については後述する。
【００９２】
（変換アダプタ４００の構成）
次に、図６を参照して、カメラ本体１００に変換アダプタ４００を介して第２の交換レンズ３００を装着する場合について説明する。図６は、本実施形態に係るカメラ本体１００に変換アダプタ４００を介して第２の交換レンズ３００を装着した状態を例示的に説明するブロック図である。なお、図６に図示するように変換アダプタ４００と第２の交換レンズ３００の各マウントを総称してマウント部２と称す。
【００９３】
変換アダプタ４００は、前述した第１の交換レンズ２００と同一のレンズマウントＢを、カメラ本体１００が結合される側に備えている。また、変換アダプタ４００は、レンズマウントＢとは反対側に、第２の交換レンズ３００に設けられたレンズマウントＤに対応するカメラマウントＣを備えている。図７は、本発明の実施形態に係るカメラマウントＣとレンズマウントＤを例示的に説明する図である。図７（ａ）は、変換アダプタ４００に設けられたカメラマウントＣの正面図、図７（ｂ）は、第２の交換レンズ３００に設けられたレンズマウントＤの正面図を示す。なお、カメラマウントＣおよびレンズマウントＤが備える各端子の詳細については後述する。
【００９４】
変換アダプタ４００は、ユーザによる操作入力が可能なアダプタ操作入力部４０２と、変換アダプタ４００用のアダプタ電源部４０３、変換アダプタ４００の動作を統括的に制御するＣＰＵを備えたアダプタ制御部４０１とを備えたカメラアクセサリである。アダプタ制御部４０１は、例えば、マウント部１を介してアダプタ制御部４０１とカメラ制御部１０１との通信を制御する、あるいは、アダプタ操作入力部４０２への操作入力を受け付ける。なお、本実施形態において、変換アダプタ４００は、例えば、カメラ本体１００に対応しないフランジバック長の交換レンズである第２の交換レンズ３００をカメラ本体１００に間接的に装着するために用いる。
【００９５】
一方、第２の交換レンズ３００は、不図示のフォーカスレンズ、ズームレンズ、絞りおよび防振レンズなどの光学部材を有するレンズ１９と、レンズ１９の内部に設けられた構造物（例えば、各光学部材）を移動または動作させるアクチュエータを駆動するレンズ駆動部２０を備える。また、第２の交換レンズ３００は、マウント部１およびマウント部２を介して、第２のレンズ制御部３０１とカメラ制御部１０１との通信を制御する、または、レンズ駆動部２０を駆動するための制御を行うＣＰＵを備えた第２のレンズ制御部３０１を有する。
【００９６】
次に、図８を用いて、カメラ本体１００と第２の交換レンズ３００との変換アダプタ４００を介した接続構成について説明する。図８は、本発明の実施形態に係るカメラ本体１００に変換アダプタ４００を介して第２の交換レンズ３００を装着した場合の各マウント同士の接続状態について例示的に説明する図である。マウント部１における各端子の構成は、前述した通りなので説明は省略する。なお、本実施形態では、変換アダプタ４００の第２の交換レンズ３００側（カメラマウントＣ側）にＤＬＣ２端子が備えられていることを必須としない。
【００９７】
図８に図示するように、マウント部２は、変換アダプタ４００と第２の交換レンズ３００とを、互いに電気的に接続可能な複数の端子を備えている。当該複数の端子は、カメラマウントＣにおいては、端子保持部に相当する接点保持部材４０５に設けられた複数の電気接点ピンとして変換アダプタ４００の外部に露出している。また、当該複数の端子は、レンズマウントＤにおいては、端子保持部に相当する接点面保持部材３０５に設けられた複数の電気接点面として第２の交換レンズ３００の外部に露出している。上述した各接点ピンおよび接点面は、カメラ本体１００に装着された変換アダプタ４００に第２の交換レンズ３００が装着された状態で、互いに対応する接点同士が電気的に接続される。
【００９８】
以下、カメラマウントＣおよびレンズマウントＤの双方に共通する各端子の機能について説明する。ＶＤＤ端子３００１、４００１は、主に通信制御に用いられる通信電力としての通信制御用電源（ＶＤＤ）をカメラ本体１００から第２の交換レンズ３００、変換アダプタ４００に電源供給する端子である。なお、カメラ本体１００から、各カメラアクセサリに対して供給する電源の電圧は５．０Ｖとする。
【００９９】
ＶＢＡＴ端子３００２、４００２は、主にモータ等のアクチュエータを含む機械的な駆動部の動作に用いる駆動電力としての駆動用電源（ＶＢＡＴ）をカメラ本体１００から第２の交換レンズ３００に電源供給する端子である。なお、カメラ本体１００から、各カメラアクセサリに対して供給する電源の電圧は４．５Ｖとする。なお、上述したＶＤＤ端子およびＶＢＡＴ端子は、カメラ本体１００からカメラアクセサリに電源を供給するための電源系端子である。
【０１００】
ＤＧＮＤ端子３０１２、４０１２は、通信制御用電源ＶＤＤに対応したグランド（接地端子（ＧＮＤ端子）である。このＤＧＮＤ端子３０１２、４０１２は、変換アダプタ４００の内部に設けられた回路に対しても、グランド接続する構成である。
【０１０１】
ＰＧＮＤ端子３００４、４００４は、カメラ本体１００と第２の交換レンズ３００に設けられたモータ（アクチュエータ）等を含む機械的な駆動系とをグラウンドに接続する接地（グランド）端子である。すなわち、ＰＧＮＤ端子は、駆動用電源ＶＢＡＴに対応した接地端子（ＧＮＤ端子）である。
【０１０２】
ＭＩＦ端子３００５、４００５は、カメラ本体１００に第２の交換レンズ３００が装着されたことを検出する端子である。カメラ制御部１０１は、ＭＩＦ端子が示す電圧のレベルを検出することで、カメラ本体１００にカメラアクセサリが装着されたことや離脱されたことを検出する。そして、カメラ制御部１０１は、当該検出により、例えばカメラアクセサリの装着を検出した後に、電源系端子への電源供給を開始し、変換アダプタ４００を介してカメラ本体１００と第２の交換レンズ３００との間で通信を開始するように制御する。
【０１０３】
次に、変換アダプタ４００と第２の交換レンズ３００との間における各種通信用の端子について説明する。なお、前述した第１の交換レンズ２００とは異なり、第２の交換レンズ３００は、独立した通信系として第１の通信部に対応する端子のみを備える。
【０１０４】
ＬＣＬＫ端子３００８、４００８は、第１通信部の端子であり、カメラ本体１００から第２の交換レンズ３００に出力される通信クロック信号用の端子、および、第２の交換レンズ３００のビジー状態をカメラ本体１００が監視するための端子である。
【０１０５】
ＤＣＬ端子３００６、４００６は、第１通信部の端子であり、カメラ本体１００と第２の交換レンズ３００との双方向の通信を行うための通信データ用の端子であり、所謂ＣＭＯＳ出力タイプのインターフェースである。なお、本実施形態におけるＣＭＯＳ出力タイプとしては、電圧が示すＨ（Ｈｉｇｈ）とＬ（Ｌｏｗ）の双方にスイッチ出力を有するものである。これに対して、後述するオープンタイプとしては、Ｌ側のみにスイッチ出力を有するものである。
【０１０６】
ＤＬＣ端子３００７、４００７は、第１通信部の端子であり、第２の交換レンズ３００からカメラ本体１００へと出力される通信データ用の端子であり、ＣＭＯＳタイプのインターフェースである。
【０１０７】
なおＶＤＤ端子、ＶＢＡＴ端子、ＤＧＮＤ端子、ＰＧＮＤ端子、ＭＩＦ端子、ＬＣＬＫ端子、ＤＣＬ端子、ＤＬＣ端子は、変換アダプタ４００において、マウント部１側からマウント部２側へと電気的に接続されている。
【０１０８】
以下、マウント部２には設けられていない各端子の変換アダプタ４００内での接続構成について説明する。マウント部１に設けられたＴＹＰＥ端子１００３、２００３は、変換アダプタ４００において、後述する所定の抵抗値でＤＧＮＤ端子にプルダウン接続される。
【０１０９】
ＤＬＣ２端子は、前述したような第２通信部に対応する端子であるが、変換アダプタ４００を介して第２の交換レンズ３００をカメラ本体１００に装着する場合には、通信端子としては使用されない。したがって、ＤＬＣ２端子１００９、２００９は、終端処理として、変換アダプタ４００内部で後述する所定の抵抗値でＤＧＮＤ端子にプルダウン接続される。
【０１１０】
ＤＣＡ端子は、前述したような第３通信部に対応する端子であって、マウント部１においては、カメラ本体１００と変換アダプタ４００との双方向の通信を行うための通信データ用の端子であり、所謂ＣＭＯＳタイプのインターフェースである。なお、変換アダプタ４００のマウントにおいてＤＣＡ端子は、マウント部１側からマウント部２側への端子同士の接続はされない。
【０１１１】
ＣＳ端子は、前述したような第３通信部に対応する端子であって、カメラ本体１００と変換アダプタ４００との通信要求用の信号端子であり、オープンタイプのインターフェースである。なお、変換アダプタ４００のマウントにおいてＣＳ端子は、マウント部１側からマウント部２側への端子同士の接続はされない。
【０１１２】
ここで、変換アダプタ４００を介してカメラ本体１００に第２の交換レンズ３００が装着された場合は、第１通信部に対応する端子における通信電圧を、ＶＤＤと同じ電圧とする。また、第２、第３通信部に対応する端子における通信電圧を、約３．０Ｖとする。すなわち、変換アダプタ４００を介してカメラ本体１００に第２の交換レンズ３００が装着された場合は、第１通信部における通信電圧と、第２、第３通信部における通信電圧とは異なる。
【０１１３】
（中間アクセサリ５００の構成）
次に、図９、１０を参照して、カメラ本体１００に中間アクセサリ５００を介して第１の交換レンズ２００を装着する場合について説明する。図９は、本実施形態に係るカメラ本体１００に中間アクセサリ５００を介して第１の交換レンズ２００を装着した状態を例示的に説明するブロック図である。なお、図９に図示するように中間アクセサリ５００と第１の交換レンズ２００の各マウントを総称してマウント部３と称す。
【０１１４】
中間アクセサリ５００は、前述した第１の交換レンズ２００と同一のレンズマウントＢとを、カメラ本体１００が結合される側に備えている。また、中間アクセサリ５００は、レンズマウントＢとは反対側に、カメラ本体１００と同一のカメラマウントＡを備えている。なお、各マウントの詳細については、前述したカメラ本体１００と第１の交換レンズ２００と同一なので、説明は省略する。
【０１１５】
中間アクセサリ５００は、ユーザが操作入力可能なアクセサリ操作入力部５０２と、中間アクセサリ５００のアクセサリ電源部５０３、中間アクセサリ５００の動作を統括的に制御するＣＰＵを備えたアクセサリ制御部５０１とを備えたカメラアクセサリである。アクセサリ制御部５０１は、例えば、マウント部１を介してアクセサリ制御部５０１とカメラ制御部１０１との通信を制御する、あるいは、アクセサリ操作入力部５０２への操作入力を受け付ける。なお、本実施形態において中間アクセサリ５００は、例えば、拡大変倍用の不図示のレンズ群を備えたエクステンダーや、カメラ本体１００と第１の交換レンズ２００の両者の動作として何らかのカメラ機能を付すことが可能なカメラアクセサリである。
【０１１６】
次に、図１０を用いて、カメラ本体１００と第１の交換レンズ２００との中間アクセサリ５００を介した接続構成について説明する。図１０は、本発明の実施形態に係るカメラ本体１００に中間アクセサリ５００を介して第１の交換レンズ２００を装着した場合の各マウント同士の接続状態について例示的に説明する図である。マウント部１における各端子の構成は、前述した通りなので説明は省略する。
【０１１７】
図１０に図示するように、マウント部３は、中間アクセサリ５００と第１の交換レンズ２００とを、互いに電気的に接続可能な複数の端子を備えている。なお、各端子として、中間アクセサリ５００の外部に露出する接点ピンは前述したカメラ本体１００の接点ピンと同一である。
【０１１８】
以下、前述したカメラ本体１００および第１の交換レンズ２００に対する中間アクセサリ５００の特徴について説明する。図１０に図示するように、中間アクセサリ５００は、カメラ本体１００と第１の交換レンズ２００とのそれぞれに設けられた端子群を経由して接続することが可能である。
【０１１９】
中間アクセサリ５００のＶＤＤ端子１００１、２００１との間は、マウント部１からマウント部３へと端子間でスルー配線されていると共に、中間アクセサリ５００の電気回路に対してもＶＤＤ（通信制御用電源）を供給することが可能である。
【０１２０】
中間アクセサリ５００のＤＧＮＤ端子１０１２、２０１２との間は、マウント部１からマウント部３へと端子間でスルー配線されていると共に、中間アクセサリ５００の電気回路をＤＧＮＤ端子に接地することが可能である。
【０１２１】
中間アクセサリ５００のＤＣＡ端子１０１０、２０１０は、前述した第３通信部に対応する端子であり、カメラ本体１００と第１の交換レンズ２００と中間アクセサリ５００との間における双方向への通信を行うための通信データ用の端子である。中間アクセサリ５００のＣＳ端子１０１１、２０１１は、前述した第３通信部に対応する端子であり、カメラ本体１００と第１の交換レンズ２００と中間アクセサリ５００との通信要求用の信号端子である。
【０１２２】
中間アクセサリ５００のＶＢＡＴ端子、ＰＧＮＤ端子、ＭＩＦ端子、ＴＹＰＥ端子、ＬＣＬＫ端子、ＤＣＬ端子、ＤＬＣ端子、ＤＬＣ２端子については特記しないが、上記の各端子は、マウント部１からマウント部３の端子間でスルー配線されている。
【０１２３】
ここで、中間アクセサリ５００を介してカメラ本体１００に第１の交換レンズ２００が装着された場合、カメラ本体１００に直接第１の交換レンズ２００を装着した場合と同様に、第１、第２、第３通信部の各端子における通信電圧を約３．０Ｖとする。
【０１２４】
（通信端子における各信号ラインの端子処理）
次に、各通信端子の信号ラインの端子処理について図３、図８、図１０を参照して説明する。カメラマウントＡにおいて、ＬＣＬＫ端子に対応する信号ラインは、カメラマウントＡ側において所定の抵抗値を示す抵抗器Ｒ＿ＬＣＬＫ＿Ｃ１２０を介して第１通信部に対応する各端子の通信電圧と同電位にプルアップ接続される。また、レンズマウントＢにおいて、ＬＣＬＫ端子に対応する信号ラインは、レンズマウントＢ側において所定の抵抗値を示す抵抗器Ｒ＿ＬＣＬＫ＿Ｌ２２０を介して第１通信部に対応する各端子の通信電圧と同電位にプルアップ接続される。
【０１２５】
レンズマウントＢにおいて、ＤＣＬ端子に対応する信号ラインは、レンズマウントＢ側において所定の抵抗値を示す抵抗器Ｒ＿ＤＣＬ＿Ｌ２２１を介して、第１通信部の各端子の通信電圧と同電位にプルアップ接続される。
【０１２６】
カメラマウントＡにおいて、ＤＬＣ端子に対応する信号ラインは、カメラマウントＡ側において所定の抵抗値を示す抵抗器Ｒ＿ＤＬＣ＿Ｃ１２１を介して、第１通信部の各端子の通信電圧と同電位にプルアップ接続される。
【０１２７】
カメラマウントＡにおいて、ＤＬＣ２端子に対応する信号ラインは、カメラマウントＡ側において所定の抵抗値を示す抵抗器Ｒ＿ＤＬＣ２＿Ｃ１２２を介してＤＧＮＤ端子の信号ラインにプルダウン接続される。なお、変換アダプタ４００においてＤＬＣ２端子に対応する信号ラインは、変換アダプタ４００内における所定の抵抗値を示す抵抗器Ｒ＿ＤＬＣ２＿Ａ４２２を介してＤＧＮＤ端子の信号ラインにプルダウン接続される。
【０１２８】
カメラマウントＡにおいて、ＣＳ端子に対応する信号ラインは、カメラマウントＡ側において所定の抵抗値を示す抵抗器Ｒ＿ＣＳ＿Ｃ１２３を介して第３通信部の各端子の通信電圧と同電位にプルアップ接続される。また、レンズマウントＢにおいて、ＣＳ端子の信号ラインは、レンズマウントＢ側において所定の抵抗値を示す抵抗器Ｒ＿ＣＳ＿Ｌ２２２を介して第３通信部に対応する各端子の通信電圧と同電位にプルアップ接続される。また、変換アダプタ４００、中間アクセサリ５００におけるＣＳ端子の信号ラインは、各機器において所定の抵抗値を示す抵抗器Ｒ＿ＣＳ＿Ａ４２０、抵抗器Ｒ＿ＣＳ＿Ａ５２０を介して第３通信部に対応する各端子の通信電圧と同電位にプルアップ接続される。
【０１２９】
カメラマウントＡ側において、ＤＣＡ端子の信号ラインは、カメラマウントＡ側において所定の抵抗値を示す抵抗器Ｒ＿ＤＣＡ＿Ｃ１２４を介して第３通信部に対応する端子の通信電圧と同電位にプルアップ接続される。
【０１３０】
（カメラ本体１００における通信用インターフェース部の構成）
次に、図３、図８を参照して、カメラ本体１００に設けられた各通信端子とカメラ制御部１０１との間においてインターフェース回路としての機能する、第１通信用Ｉ／Ｆ部１０２ａ、第２・第３通信用Ｉ／Ｆ部１０２ｂの構成について説明する。
【０１３１】
図３、図８に図示するように、カメラ本体１００の内部には、第１通信用Ｉ／Ｆ部１０２ａが設けられている。この第１通信用Ｉ／Ｆ部１０２ａは、ＤＣＬ端子、ＤＬＣ端子、ＬＣＬＫ端子のそれぞれと接続されており、カメラ本体１００と各交換レンズとの間で行われる第１の通信のインターフェース回路として機能する。
【０１３２】
また、カメラ本体１００の内部には、第２・第３の通信用Ｉ／Ｆ部１０２ｂが設けられている。この第２・第３の通信用Ｉ／Ｆ部１０２ｂは、ＤＬＣ２端子、ＤＣＡ端子、ＣＳ端子のそれぞれと接続されており、カメラ本体１００と各交換レンズとの間で行われる第２の通信および第３の通信のインターフェース回路として機能する。以降は、第１通信用Ｉ／Ｆ部１０２ａと第２・第３通信用Ｉ／Ｆ部１０２ｂとをまとめて、Ｉ／Ｆ部１０２と称する。ここで、本実施形態では、図３、図８に図示する通りカメラ制御部１０１が３．３Ｖの電圧レベルで駆動し、カメラ制御部１０１の電圧のレベルが３．３Ｖである場合について例示的に説明するが、当該電圧のレベルは他の値を採用してもよい。
【０１３３】
Ｉ／Ｆ部１０２は、主な役割の１つとして、カメラマウントＡに設けられた端子が示す電圧とカメラ制御部１０１の電圧とを互いに変換するためのレベルシフタ機能を備える。このレベルシフタ機能としては、例えば、カメラ本体１００に第１の交換レンズ２００が装着された場合、前述したように第１、第２、第３通信部に対応する各端子のインターフェース電圧は３．０Ｖとなる。これに対して、カメラ制御部１０１の電圧は３．３Ｖを示すため、両者が示す電圧に差異が生じる。Ｉ／Ｆ部１０２は、当該差異を調整するために、各端子が示す電圧の電圧変換を行う。
【０１３４】
また、例えば、カメラ本体１００に変換アダプタ４００を介して第２の交換レンズ３００が装着された場合、前述したように第１通信部に対応する端子のインターフェース電圧はＶＤＤと同じ電圧（５．０Ｖ）である。そして、第２、第３通信部に対応する端子のインターフェース電圧は３．０Ｖである。この場合も、Ｉ／Ｆ部１０２は、両者の差異を調整するために、各端子が示す電圧の電圧変換を行う。すなわち、Ｉ／Ｆ部１０２は、カメラ制御部１０１の電圧と同じ電圧レベルを示す電源電圧（３．３Ｖ）と、各端子が示す電圧と同じ電圧レベルの電源電圧（５．０Ｖまたは、３．０Ｖ）が供給されることで、各端子の信号の電圧変換が実行される。
【０１３５】
なお、第２・第３通信用Ｉ／Ｆ部１０２ｂに関しては、マウントに設けられた各端子が示す電圧レベルは常に固定値であるため、当該固定値がカメラ制御部１０１の電圧と同じ電圧レベルであれば、上述したレベルシフタ機能は必須ではない。
【０１３６】
また、Ｉ／Ｆ部１０２は、主な役割１つとして、カメラマウントＡ側において、ＬＣＬＫ端子１００８およびＤＣＬ端子１００６をオープンドレインタイプの出力、あるいは、ＣＭＯＳ出力タイプの出力に切り替える機能がある。以下、その詳細について具体的に説明する。
【０１３７】
例えば、カメラ本体１００に第１の交換レンズ２００が装着された直後の初期状態で、カメラ本体１００のＬＣＬＫ端子１００８とＤＣＬ端子１００６はオープンドレインタイプの出力を行う。なお、カメラ制御部１０１は、例えば図３に図示するように、カメラ制御部１０１のＢＵＳＹ入力端子により、ＬＣＬＫ端子１００８の電圧レベルを監視している。そして、例えば、第１の交換レンズ２００と通信できない（通信不可である）場合は、レンズマウントＢ側のＬＣＬＫ端子２００８に電圧のＬｏｗレベルを出力し、通信可能である場合はＬＣＬＫ端子２００８を入力側に切り替える。この際、各マウントにおけるＬＣＬＫ端子ラインは、プルアップ抵抗である抵抗器Ｒ＿ＬＣＬＫ＿Ｃ１２０、Ｒ＿ＬＣＬＫ＿Ｌ２２０によって電圧のＨｉｇｈレベルが出力される。
【０１３８】
一方、カメラ制御部１０１は、例えば、ＬＣＬＫ端子１００８の電圧レベルのＨｉｇｈレベルへの切り替わりを検出すると、第１の交換レンズ２００が通信可能な状態になったことを認識する。その後、カメラ制御部１０１は、ＬＣＬＫ端子１００８とＤＣＬ端子１００６を、オープンドレインタイプまたはＣＭＯＳ出力タイプのどちらを用いるかを選択し、Ｉ／Ｆ部１０２を用いて選択された出力タイプへと変更する。ここで、Ｉ／Ｆ部１０２をオープンドレインタイプで使用する際の通信をオープンドレイン通信、ＣＭＯＳ出力タイプで使用する際の通信をＣＭＯＳ通信と称する。
【０１３９】
カメラ制御部１０１は、第１の交換レンズ２００の装着時にＬＣＬＫ端子１００８からＨｉｇｈレベルの電圧が検出された場合、ＬＣＬＫ端子１００８とＤＣＬ端子１００６をＣＭＯＳ出力タイプに切り替え、第１の交換レンズ２００側とＣＭＯＳ通信を行う。また、カメラ制御部１０１は、第２の交換レンズ３００の装着時は、ＬＣＬＫ端子１００８とＤＣＬ端子１００６をオープンドレインタイプに維持したまま第２の交換レンズ３００側とオープンドレイン通信を行う。その後、第２の交換レンズ３００がＣＭＯＳ通信に対応した交換レンズであると判断した際に、カメラ制御部１０１は、Ｉ／Ｆ部１０２を用いてＬＣＬＫ端子１００８とＤＣＬ端子１００６をＣＭＯＳ出力タイプに切り替え、レンズ側とＣＭＯＳ通信を行う。
【０１４０】
なお、前述したオープンタイプの出力方式は、オープンドレイン出力の他に所謂オープンコレクタ出力でも良く、電圧のＨｉｇｈレベル出力は前述したようにプルアップ抵抗を設けることで実現すればよい。また、出力方式の切り替え方法は前述したものに限定されず、少なくとも、カメラ本体１００に何れかの交換レンズが装着された際に、ＬＣＬＫ端子１００８とＤＣＬ端子１００６がオープンタイプの通信を行う構成であればよい。
【０１４１】
また、Ｉ／Ｆ部１０２は、主な役割の１つとして、カメラマウントＡ側において、ＤＣＬ端子１００６およびＤＣＡ端子１０１０の入力および出力の方向性を切り替えるための入出力方向切り替え機能がある。前述したように、ＤＣＬ端子及びＤＣＡ端子では通信データの双方向の通信を行うため、Ｉ／Ｆ部１０２により信号の入出力方向が切り替えられる。
【０１４２】
ここで、本実施形態では、第１通信部に対応する通信端子が示す電圧は、カメラ本体１００に装着されるカメラアクセサリの種類に応じて、ＶＤＤと同電圧または３．０Ｖに切り替える構成である。一方で、第２、第３通信部に対応する通信端子が示す電圧は、カメラ本体１００に装着されるカメラアクセサリの種類に応じて変化するものではなく、常に一定の値（３．０Ｖ）とする。
【０１４３】
第１通信用Ｉ／Ｆ部１０２ａには、ＶＤＤと同電圧または３．０Ｖのいずれか一方の電源電圧（Ｖｓ）と、カメラ制御部１０１が示す電圧と同電位の電源電圧（３．３Ｖ）が、後述するカメラ電源部１０３から供給される。また、第２・第３通信用Ｉ／Ｆ部１０２ｂには３．０Ｖの電源電圧と、カメラ制御部１０１が示す電圧と同電位の電源電圧（３．３Ｖ）が、後述するカメラ電源部１０３から供給される。
【０１４４】
（カメラ本体１００におけるカメラ電源部および電源切り替え部の構成）
次に、図３、図８を参照して、カメラ本体１００において各電源を生成するカメラ電源部１０３の構成について説明する。カメラ電源部１０３は、装着されたカメラアクセサリに対して、ＶＤＤ端子を介して給電するための電源、または後述する電源切り替え部１０４を介して第１通信用Ｉ／Ｆ部１０２ａに供給するための電源として、通信制御用電源（ＶＤＤ）を生成する。また、カメラ電源部１０３は、装着されたカメラアクセサリに対してＶＢＡＴ端子を介して給電するための電源として、駆動用電源（ＶＢＡＴ）を生成する。前述したように、本実施形態では、ＶＤＤの電源電圧を５．０Ｖとし、ＶＢＡＴの電源電圧を４．５Ｖとする。
【０１４５】
また、カメラ電源部１０３は、カメラ制御部１０１およびＩ／Ｆ部１０２へと供給するための電源として、３．３Ｖの電源を生成する。また、カメラ電源部１０３は、後述する電源切り替え部１０４を介してＩ／Ｆ部１０２へ供給するための電源として、３．０Ｖの電源を生成する。
【０１４６】
次に、第１通信用Ｉ／Ｆ部１０２ａへと供給する電源（の電圧）を切り替えるための電源切り替え部１０４の詳細について説明する。電源切り替え部１０４は、カメラ電源部１０３と接続されている。そして電源切り替え部１０４は、カメラ電源部１０３で生成されたＶＤＤと３．０Ｖの電源のうちの何れか一方のみを通信インターフェース用の電源Ｖｓとして第１通信用Ｉ／Ｆ部１０２ａに対して供給する。なお、電源電圧の切り替えは、カメラ制御部１０１からの指示に従い実行される。
【０１４７】
ここで、カメラ制御部１０１は、ＴＹＰＥ端子１００３を用いて、カメラ本体１００に装着されたカメラアクセサリの種類が第１の交換レンズ２００であると判別した場合、電源Ｖｓが３．０Ｖ電源となるように電源切り替え部１０４を制御する。一方、カメラ制御部１０１は、カメラ本体１００に変換アダプタ４００を介して第２の交換レンズ３００が装着されていると判別した場合、通信インターフェース用の電源ＶｓがＶＤＤと同電圧となるように電源切り替え部１０４を制御する。さらに、カメラ本体１００においてカメラアクセサリの装着が検出されていない期間、および装着されたカメラアクセサリの種類を判別するまでの期間において、カメラ制御部１０１は、電源Ｖｓが３．０Ｖ電源となるように電源切り替え部１０４を制御する。この構成により、例えば、カメラ本体１００に第１の交換レンズ２００が直接装着された場合は、３．０Ｖが定格電圧である第１の交換レンズ２００の電気回路に３．０Ｖ以上の電圧が印加されることを防止できる。
【０１４８】
なお、カメラ本体１００においてカメラアクセサリの装着が検出されていない状態、および、装着されたカメラアクセサリの種類を判別するまでの期間においては、通信インターフェース用の電源Ｖｓを供給しない構成であってもよい。同様に、第２・第３通信用Ｉ／Ｆ部１０２ｂへ供給する電源（３．０Ｖ）に関しても、電源Ｖｓを供給しない構成であってもよい。この構成により、カメラ側からカメラアクセサリ側へと電源が供給されていない状態で、各端子に所定の電圧が印加されることを防止できるため、カメラアクセサリの未装着時に、対応しない端子同士における意図しない電圧の電流が流入することを低減できる。
【０１４９】
以上説明したように、カメラ本体１００においては、カメラ制御部１０１が、Ｉ／Ｆ部１０２および電源切り替え部１０４を制御することで、カメラ本体１００に装着されたカメラアクセサリの種類に応じた適切な電圧で各通信を行うことが可能となる。
【０１５０】
（第１の交換レンズ２００における通信用インターフェース部の構成）
次に、図３を参照して、第１の交換レンズ２００に設けられた各通信端子と第１のレンズ制御部２０１との間においてインターフェース回路としての機能する、第１のレンズ側Ｉ／Ｆ２０２の構成について説明する。
【０１５１】
図３に図示するように、第１の交換レンズ２００の内部には、第１の交換レンズ２００における通信用のインターフェース部として、第１のレンズ側Ｉ／Ｆ部２０２が設けられている。この第１のレンズ側Ｉ／Ｆ部２０２は、カメラ本体１００と第１の交換レンズ２００とが、第１、第２、第３通信部のそれぞれに対応する端子を介して通信を行うためのインターフェース回路として機能する。
【０１５２】
第１のレンズ側Ｉ／Ｆ部２０２は、主な役割の１つとして、レンズマウントＢに設けられた端子が示す電圧と第１のレンズ制御部２０１が示す電圧とを互いに変換するためのレベルシフタ機能を備える。このレベルシフタ機能としては、例えば、第１のレンズ制御部２０１が示す電圧レベルと各端子が示す電圧レベルとが異なる場合、両者の差異に応じて、第１のレンズ側Ｉ／Ｆ部２０２は、当該差異を調整するために、各端子が示す電圧の電圧変換を行う。なお、図３に図示するように、第１のレンズ制御部２０１が示す電圧と各端子が示す電圧のレベルが同一（３．０Ｖ）である場合は、上述したレベルシフタ機能は必須ではない。
【０１５３】
また、第１のレンズ側Ｉ／Ｆ部２０２の主な役割の１つとして、レンズマウントＢ側において、ＬＣＬＫ端子２００８を入力、またはオープンドレインタイプの出力に切り替える機能がある。さらに、第１のレンズ側Ｉ／Ｆ部２０２の主な役割の１つとして、レンズマウントＢ側において、ＤＬＣ端子２００７をオープンドレインタイプの出力またはＣＭＯＳ出力タイプの出力に切り替える機能がある。
【０１５４】
なお、カメラ本体１００に第１の交換レンズ２００が装着された場合のＬＣＬＫ端子２００８およびＤＬＣ端子２００７の制御については、カメラ本体１００側における通信インターフェースの説明にて前述した通りである。すなわち、第１のレンズ制御部２０１は、第１のレンズ側Ｉ／Ｆ部２０２を制御することで、ＬＣＬＫ端子２００８が出力する電圧レベルに応じてＬＣＬＫ端子２００８とＤＬＣ端子２００７の出力タイプを切り替える。
【０１５５】
また、第１のレンズ側Ｉ／Ｆ部２０２の主な役割の１つとして、レンズマウントＢ側において、ＤＣＬ端子２００６およびＤＣＡ端子２０１０の入力および出力の方向性を切り替えるための入出力方向切り替え機能がある。前述したように、ＤＣＬ端子及びＤＣＡ端子では通信データの双方向の通信を行うため、第１のレンズ側Ｉ／Ｆ部２０２により信号の入出力方向が切り替えられる。
【０１５６】
（第１の交換レンズ２００におけるレンズ電源部の構成）
次に、図３を参照して、第１の交換レンズ２００において各電源を生成するレンズ電源部２０３の構成について説明する。第１の交換レンズ２００がカメラ本体１００に装着された状態で、第１の交換レンズ２００側のレンズ電源部２０３には、前述したカメラ電源部１０３からＶＤＤ端子を介して通信制御用電源（ＶＤＤ）が供給される。この状態でレンズ電源部２０３は、カメラ本体１００側から供給されたＶＤＤに基づいて、第１のレンズ制御部２０１、及び、第１のレンズ側Ｉ／Ｆ部２０２へと供給するための電源電圧として３．０Ｖの電源を生成する。
【０１５７】
また、第１の交換レンズ２００がカメラ本体１００に装着された状態で、第１の交換レンズ２００側の駆動回路部２０４には、前述したカメラ電源部１０３からＶＢＡＴ端子を介して駆動用電源（ＶＢＡＴ）が供給される。
【０１５８】
なお、本実施形態では第１のレンズ制御部２０１と第１のレンズ側Ｉ／Ｆ部２０２の電源電圧のレベルを同一（３．０Ｖ）としているが、第１のレンズ制御部２０１が示す電圧レベルは３．３Ｖとに設定する構成であってもよい。この場合、レンズ側Ｉ／Ｆ部２０２に対して３．０Ｖと３．３Ｖの電圧レベルの電源を供給する必要があるため、レンズ電源部２０３は、３．０Ｖおよび３．３Ｖの電源を生成する。
【０１５９】
（第２の交換レンズ３００における通信用インターフェース部の構成）
次に、図８を参照して、第２の交換レンズ３００に設けられた各通信端子と第２のレンズ制御部３０１との間においてインターフェース回路としての機能する、第２のレンズ側Ｉ／Ｆ部３０２の構成について説明する。
【０１６０】
図８に図示するように、第２の交換レンズ３００の内部には、第２のレンズ側Ｉ／Ｆ部３０２が設けられている。この第２のレンズ側Ｉ／Ｆ部３０２は、ＤＣＬ端子３００６、ＤＬＣ端子３００７、ＬＣＬＫ端子３００８と接続されており、カメラ本体１００と第２の交換レンズ３００との間で行われる第１の通信のインターフェース回路として機能する。
【０１６１】
第２のレンズ側Ｉ／Ｆ部３０２は、の主な役割の１つとして、レンズマウントＤに設けられた端子が示す電圧と第２のレンズ制御部３０１が示す電圧を変換するためのレベルシフタ機能を備える。
【０１６２】
このレベルシフタ機能としては、例えば、各端子が示す電圧レベルはＶＤＤと同電圧であって、第２のレンズ制御部３０１が示す電圧を３．３Ｖとする場合を想定する。この場合、両者の差異を調整するために、第２のレンズ側Ｉ／Ｆ部３０２は、当該差異を調整するために、各端子が示す電圧の電圧変換を行う。なお、第２のレンズ制御部３０１が示す電圧と各端子が示す電圧のレベルが同一である場合は、上述したレベルシフタ機能は必須ではない。
【０１６３】
また、第２のレンズ側Ｉ／Ｆ部３０２の主な役割の１つとして、レンズマウントＤ側において、ＬＣＬＫ端子３００８を入力、またはオープンドレインタイプの出力に切り替える機能がある。さらに、第２のレンズ側Ｉ／Ｆ部３０２の主な役割の１つとして、レンズマウントＤ側において、ＤＬＣ端子３００７をオープンドレインタイプの出力またはＣＭＯＳ出力タイプの出力に切り替える機能がある。
【０１６４】
なお、カメラ本体１００に変換アダプタ４００を介して第２の交換レンズ３００が装着された場合のＬＣＬＫ端子３００８およびＤＬＣ端子３００７の制御については、第１の交換レンズ２００に係る通信インターフェースの説明にて前述した通りである。すなわち、第２のレンズ制御部３０１は、第２のレンズ側Ｉ／Ｆ部３０２を制御することで、ＬＣＬＫ端子３００８が出力する電圧レベルに応じてＬＣＬＫ端子３００８とＤＬＣ端子３００７の出力タイプを切り替える。
【０１６５】
（第２の交換レンズ３００におけるレンズ電源部の構成）
次に、図８を参照して、第２の交換レンズ３００において各電源を生成するレンズ電源部３０３の構成について説明する。第２の交換レンズ３００が変換アダプタ４００を介してカメラ本体１００に装着された状態で、第２の交換レンズ３００側のレンズ電源部３０３には、前述したカメラ電源部１０３からＶＤＤ端子を介して通信制御用電源（ＶＤＤ）が供給される。この状態でレンズ電源部３０３は、カメラ本体１００側から供給されたＶＤＤに基づいて、第２のレンズ制御部３０１、及び、第２のレンズ側Ｉ／Ｆ部３０２へと供給するための電源電圧として３．３Ｖの電源を生成する。
【０１６６】
また、第２の交換レンズ３００が変換アダプタ４００を介してカメラ本体１００に装着された状態で、第２の交換レンズ３００側の駆動回路部３０４には、前述したカメラ電源部１０３からＶＢＡＴ端子を介して駆動用電源（ＶＢＡＴ）が供給される。
【０１６７】
（変換アダプタ４００の内部構成）
次に、図８を参照して、変換アダプタ４００が備える回路の内部構成と動作について説明する。カメラ本体１００に変換アダプタ４００が装着された状態で、変換アダプタ４００のアダプタ電源部４０３には、前述したカメラ電源部１０３からＶＤＤ端子を介して通信制御用電源（ＶＤＤ）が供給される。この状態でアダプタ電源部４０３は、カメラ本体１００側から供給されたＶＤＤに基づいて、アダプタＣＰＵを含むアダプタ制御部４０１とアダプタ操作入力部４０２へと供給するための電源を生成する。
【０１６８】
アダプタ操作入力部４０２は、ユーザの操作入力により、マニュアルフォーカスに係る設定や絞りの開口径に係る設定などが可能であって、ユーザが手動操作可能な操作部材として、例えば変換アダプタ４００の円周方向に回転可能なリング部材などを含む。
【０１６９】
アダプタ制御部４０１は、Ｎチャネル型トランジスタで形成されたオープンインターフェース部４０４の制御により、変換アダプタ４００のレンズマウントＢに設けられたＣＳ端子２０１１の通信要求のアサート／ネゲートを行う。また、アダプタ制御部４０１は、ＣＳ端子２０１１の電圧レベルが入力され、ＣＳ端子２０１１の電圧レベルを監視する。
【０１７０】
アダプタ操作入力部４０２により入力された操作情報は、アダプタ制御部４０１とカメラ制御部１０１との間において第３通信部に対応する端子を介した第３の通信により、カメラ本体１００の各種設定に反映される。具体的に、アダプタ制御部４０１は、アダプタ操作入力部４０２に入力される操作情報を検出すると、オープンインターフェース部４０４を制御し、第３通信部に対応するＣＳ端子２０１１を用いて、カメラ制御部１０１へ通信要求を送信する。また、この場合、第３通信部に対応するＤＣＡ端子２０１０を用いて、カメラ制御部１０１に向けて検出した操作情報を送信する。
【０１７１】
（中間アクセサリ５００の内部構成）
次に、図１０を参照して、中間アクセサリ５００が備える回路の内部構成と動作について説明する。カメラ本体１００に中間アクセサリ５００が装着された状態で、中間アクセサリ５００のアクセサリ電源部５０３には、前述したカメラ電源部１０３からＶＤＤ端子を介して通信制御用電源（ＶＤＤ）が供給される。この状態で、アクセサリ電源部５０３は、カメラ本体１００側から供給されたＶＤＤに基づいて、アクセサリＣＰＵを含むアクセサリ制御部５０１とアクセサリ操作入力部５０２へ供給する電源を生成する。
【０１７２】
アクセサリ操作入力部５０２は、ユーザの操作入力により、マニュアルフォーカスに係る設定や絞りの開口径に係る設定が可能であって、ユーザが手動操作可能な操作部材として、例えば、中間アクセサリ５００の円周方向に回転可能なリング部材などを含む。
【０１７３】
なお、中間アクセサリ５００においても、前述した変換アダプタ４００と同様に、Ｎチャネル型トランジスタで形成されたオープンインターフェース部５０４を備える。このオープンインターフェース部５０４は、制御対象は異なるが、前述したオープンインターフェース部４０４と略同一の動作なので、説明は省略する。
【０１７４】
アクセサリ操作入力部５０２により入力された操作情報は、アクセサリ制御部５０１とカメラ制御部１０１あるいは第１のレンズ制御部２０１との間において第３通信部に対応する端子を介した第３通信により、カメラ本体１００の各種設定に反映される。具体的に、アクセサリ制御部５０１は、アクセサリ操作入力部５０２に入力される操作情報を検出すると、オープンインターフェース部５０４を制御し、第３通信部に対応するＣＳ端子２０１１を用いてカメラ制御部１０１へ通信要求を送信する。また、この場合、第３通信部にＤＣＡ端子２０１０を用いて、カメラ制御部１０１に向けて検出した操作情報を送信する。
【０１７５】
（カメラアクセサリの判別方法）
次に、図１１および下記に示す表１を参照して、カメラ本体１００側において、カメラ本体１００に装着されたカメラアクセサリの種類を判別する方法について説明する。より具体的には、カメラ本体１００において、ＴＹＰＥ端子１００３が示す電圧のレベルに基づいて、カメラ制御部１０１がカメラ本体１００に装着されたカメラアクセサリの種類を判別する方法について説明する。
【０１７６】
【表１】
2020024458.tif 000003
【０１７７】
上述するように、表１はカメラ本体１００に各カメラアクセサリが装着された場合（エラー等を含む）のＴＹＰＥ端子の入力信号と通信電圧の関係を示す表である。なお、本実施形態では、表１に示すようなＴＹＰＥ＿ＩＮ端子が示す電圧レベルと装着アクセサリとの関係を示す情報（テーブルデータ）を、カメラ制御部１０１に設けられたメモリ（不図示）に格納している。なお、当該テーブルデータは、カメラ本体１００の内部に設けられた記録部であればいずれかメモリ領域に記録しておく構成であってもよい。
【０１７８】
ＴＹＰＥ端子１００３は、カメラ本体１００に第１の交換レンズ２００が装着されている場合に、抵抗器Ｒ＿ＴＹＰＥ＿Ｃ１２６を介して３．３Ｖの電圧レベルを示す電源にプルアップ接続される。また、この場合に、抵抗器Ｒ＿ＴＹＰＥ＿Ｌ２２４でＤＧＮＤ端子側にプルダウン接続される。この場合、ＴＹＰＥ端子１００３は、３．３Ｖの電源を抵抗器Ｒ＿ＴＹＰＥ＿Ｃ１２６と抵抗器Ｒ＿ＴＹＰＥ＿Ｌ２２４の各抵抗値で分圧した電圧がカメラ制御部１０１に入力される。本実施形態では、上述した各抵抗器が示すそれぞれの抵抗値は、端子間がショート（短絡）した場合を考慮して、ショートする可能性がある端子に接続される他の抵抗器が示す抵抗値との比率に応じて設定される。
【０１７９】
また、ＴＹＰＥ端子はカメラ本体１００に変換アダプタ４００が装着されている場合に、抵抗器Ｒ＿ＴＹＰＥ＿Ｃ１２６を介して３．３Ｖの電圧レベルを示す電源にプルアップ接続され、抵抗器Ｒ＿ＴＹＰＥ＿Ａ４２１でＤＧＮＤ端子側にプルダウン接続される。この場合、３．３Ｖの電源を抵抗器Ｒ＿ＴＹＰＥ＿Ｃ１２６と抵抗器Ｒ＿ＴＹＰＥ＿Ａ４２１の各抵抗値で分圧した電圧がカメラ制御部１０１に入力される。
【０１８０】
ここで、カメラ制御部１０１はアナログデータ信号をデジタルデータ信号へと変換するＡＤ変換器とその入力ポートとしてＴＹＰＥ＿ＩＮ端子を有している。このＴＹＰＥ＿ＩＮ端子にはＴＹＰＥ端子１００３が接続されている。また、説明のため、ＡＤ変換器の分解能は１０ｂｉｔ（１０２４分割：０×００００〜０×０３ＦＦ）であるとする。更に、ＴＹＰＥ端子１００３とＴＹＰＥ＿ＩＮ端子の間には、ＴＹＰＥ＿ＩＮ端子を保護するための所定の抵抗値（本実施形態では、１ｋΩ）を示す抵抗器が接続されている。
【０１８１】
また、説明のために、各抵抗器が示す所定の抵抗値は例示的に以下の通りとする。カメラ本体１００におけるプルアップ抵抗値を示す抵抗器Ｒ＿ＴＹＰＥ＿Ｃ１２６の抵抗値は１００ｋΩである。第１の交換レンズ２００におけるプルダウン抵抗値を示す抵抗器Ｒ＿ＴＹＰＥ＿Ｌ２２４の抵抗値は３３ｋΩである。変換アダプタ４００におけるプルダウン抵抗値を示す抵抗器Ｒ＿ＴＹＰＥ＿Ａ４２１の抵抗値は３００ｋΩである。
【０１８２】
カメラ制御部１０１は、ＴＹＰＥ＿ＩＮ端子に入力される電圧レベルに応じて、カメラ本体１００に装着されたカメラアクセサリの種類を判別する。具体的に、カメラ制御部１０１は、ＴＹＰＥ＿ＩＮ端子に入力された電圧レベルをＡＤ変換する。そして、カメラ制御部１０１は、ＡＤ変換後の電圧値とカメラ制御部１０１のメモリ（不図示）が予め保持するレンズの種類に応じた閾値（基準値）とを比較することでカメラアクセサリの種類を判別する。
【０１８３】
以下、各カメラアクセサリの具体的な判別方法について説明する。図１１は、本発明の実施形態に係るカメラ本体１００のＴＹＰＥ＿ＩＮ端子と各カメラアクセサリとの接続状態を例示的に説明する図である。図１１（ａ）は、カメラ本体１００に第１の交換レンズ２００が装着された場合を示し、図１１（ｂ）は、カメラ本体１００に変換アダプタ４００が装着された場合を示している。図１１（ｃ）は、カメラ本体１００とカメラアクセサリとに設けられたＴＹＰＥ端子同士が接触不良などにより正しく接触していない場合を示している。図１１（ｄ）は、端子間に導電性の異物が付着したなどの理由により、ＴＹＰＥ端子が隣接するＶＢＡＴ端子とショートしている場合を示す。図１１（ｅ）は、端子間に導電性の異物が付着したなどの理由により、ＴＹＰＥ端子が隣接するＰＧＮＤ端子とショートしている場合を示す。
【０１８４】
図１１（ａ）に図示するように、カメラ本体１００に第１の交換レンズ２００が装着された場合、カメラ制御部１０１のＴＹＰＥ＿ＩＮ端子に入力される電圧レベル（ＡＤ変換後）は、おおよそ「０×０１０３」となる。なお、図１１（ａ）に図示する場合は、ＴＹＰＥ＿ＩＮ端子に入力される電圧レベルが、カメラ本体１００内のプルアップ抵抗１００ｋΩと保護抵抗１ｋΩおよび第１の交換レンズ２００内のプルダウン抵抗３３ｋΩとの比率（分圧比）に基づいて決定される。
【０１８５】
カメラ制御部１０１は、メモリに格納されたテーブルデータ（表１に示す）とＴＹＰＥ＿ＩＮ端子に入力される電圧レベルとを比較する。例えば、ＴＹＰＥ＿ＩＮ端子に入力される電圧レベル（ＡＤ変換後）が「０×０１０３」である場合、表１に示したような第１の交換レンズ２００が装着されていることを示す電圧レベル「０×００８０〜０×０１７Ｆ」の範囲に含まれる。この場合、カメラ制御部１０１は、カメラ本体１００に第１の交換レンズ２００が装着されていると判定する。
【０１８６】
また、図１１（ｂ）に図示するように、カメラ本体１００に変換アダプタ４００が装着された場合、カメラ制御部１０１のＴＹＰＥ＿ＩＮ端子に入力される電圧レベル（ＡＤ変換後）は、おおよそ「０×０３００」となる。なお、図１１（ｂ）に図示する場合は、ＴＹＰＥ＿ＩＮ端子に入力される電圧レベルが、カメラ本体１００内のプルアップ抵抗１００ｋΩと保護抵抗１ｋΩおよび変換アダプタ４００内のプルダウン抵抗３００ｋΩとの比率（分圧比）に基づいて決定される。
【０１８７】
この場合、ＴＹＰＥ＿ＩＮ端子に入力される電圧レベル（ＡＤ変換後）が「０×０３００」であるので、表１に示したような変換アダプタ４００が装着されていることを示す電圧レベル「０×０２８０〜０×０３７Ｆ」の範囲に含まれる。したがって、カメラ制御部１０１は、カメラ本体１００に変換アダプタ４００が装着されていると判定する。
【０１８８】
次に、図１１（ｃ）に図示するように、カメラ本体１００とカメラアクセサリのＴＹＰＥ端子同士が接触不良を起こしている場合、カメラ制御部１０１のＴＹＰＥ＿ＩＮ端子に入力される電圧レベルは、おおよそ「０×０３ＦＦ」となる。この場合、ＴＹＰＥ＿ＩＮ端子に入力される電圧レベルは、カメラ本体１００内のプルアップ抵抗１００ｋΩのみで決定される。
【０１８９】
上述した場合、ＴＹＰＥ＿ＩＮ端子に入力される電圧レベルは、第１の交換レンズ２００および変換アダプタ４００のいずれにも該当しない電圧である。この場合、ＴＹＰＥ＿ＩＮ端子に入力される電圧レベルは、表１に示したエラー１に該当するため、カメラ制御部１０１は、カメラ本体１００に装着されているカメラアクセサリを判別することはできない。なお。図１１（ｃ）に図示する状態は、例えば、カメラ本体１００とカメラアクセサリのＭＩＦ端子同士は適切に接続しているが、ＴＹＰＥ端子同士が接触していない場合などが該当する。
【０１９０】
次に、図１１（ｄ）に図示するように、ＴＹＰＥ端子と隣接するＶＢＡＴ端子間に導電性の異物が付着しているなどにより、ＴＹＰＥ端子が隣接する端子とショートしている場合、ＴＹＰＥ端子にＶＢＡＴ端子側の信号ラインが接続されてしまう。ここで、カメラ本体１００に装着されたカメラアクセサリの種類の判別を、ＶＢＡＴ端子への電源供給前に行う場合は、ＶＢＡＴ電源の状態によってカメラアクセサリの種類の判別結果が異なる。
【０１９１】
例えば、ＶＢＡＴ電源がオフの場合であって、ＶＢＡＴ電源の信号ラインがＰＧＮＤ端子の信号ラインと同等電位となる場合は、ＴＹＰＥ端子の信号ラインはＰＧＮＤ端子の信号ラインと同電位になる。この場合、ＴＹＰＥ＿ＩＮ端子に入力される電圧レベルは、カメラ本体１００内のプルアップ抵抗１００ｋΩと保護抵抗１ｋΩとの比率（分圧比）に基づいて決定され、その値は、おおよそ「０×０００Ａ」となる。この場合、ＴＹＰＥ＿ＩＮ端子に入力される電圧レベルは、表１に示したエラー１に該当するため、カメラ制御部１０１は、カメラ本体１００に装着されているカメラアクセサリを判別することはできない。
【０１９２】
また、例えば、ＶＢＡＴ電源がオフの場合であって、ＶＢＡＴ電源の信号ラインがフローティングとなる場合は、ＴＹＰＥ端子とＶＢＡＴ端子間のショートの影響はなく、前述したようにカメラアクセサリの種類を判別することができる。その後、ＶＢＡＴ端子同士が接続された状態で、ＶＢＡＴ端子にＶＢＡＴ電源が供給された時点で、ＴＹＰＥ端子にＶＢＡＴの電源電圧相当が印加される。この場合、ＶＢＡＴ端子は、ＴＹＰＥ＿ＩＮ端子の電源電圧よりも高いレベルの電圧を示すため、ＴＹＰＥ＿ＩＮ端子内に存在するダイオード（不図示）を介して、ＴＹＰＥ＿ＩＮ端子に意図しない電圧レベルの電流が流れ込む可能性がある。
【０１９３】
そこで本実施形態のカメラ本体１００では、ＴＹＰＥ端子の信号ラインに直列で保護抵抗１ｋΩを設けている。この構成により、ＴＹＰＥ＿ＩＮ端子（の電源）に意図しない電圧レベルの電流の流入を低減し、ＴＹＰＥ＿ＩＮ端子に接続される各部の不具合の発生を抑制することができる。なお、保護抵抗１ｋΩとＴＹＰＥ＿ＩＮ端子との信号ラインに保護ダイオードを接続する構成であってもよい。
【０１９４】
また、カメラ制御部１０１は、ＶＢＡＴ電源がＶＢＡＴ端子に供給された時点で、改めてＴＹＰＥ＿ＩＮ端子に入力される電圧レベルを検出し、カメラアクセサリの種類を判別し直す構成であってもよい。この場合、図１１（ｄ）に図示するような状態では、ＴＹＰＥ端子にＶＢＡＴ端子の電源電圧に相当する電圧が印加されるため、ＴＹＰＥ＿ＩＮ端子に入力される電圧レベルは、おおよそ「０×０３ＦＦ」となる。この場合、カメラ制御部１０１は、カメラ本体１００に装着されているカメラアクセサリを判別することはできないが、ＴＹＰＥ＿ＩＮ端子に意図しない電圧レベルの電流が流れ込むことを防止できる。
【０１９５】
一方、カメラアクセサリの種類判別が実行される前に、ＶＢＡＴ端子への電源供給が行われる場合は、ＴＹＰＥ端子にＶＢＡＴ端子が示す電源電圧が印加された状態でＴＹＰＥ＿ＩＮ端子に入力される電圧レベルをＡＤ変換することになる。この場合、ＴＹＰＥ＿ＩＮ端子に入力される電圧レベル（ＡＤ変換後）は、おおよそ「０×０３ＦＦ」となる。この場合、ＴＹＰＥ＿ＩＮ端子に入力される電圧レベルは、表１に示したエラー１に該当するため、カメラ制御部１０１は、カメラ本体１００に装着されているカメラアクセサリを判別することはできない。
【０１９６】
次に、図１１（ｅ）に図示するように、ＴＹＰＥ端子と隣接するＰＧＮＤ端子間に導電性の異物が付着しているなどにより、ＴＹＰＥ端子が隣接する端子とショートしている場合、ＴＹＰＥ端子がＰＧＮＤ端子側の信号ラインが接続されてしまう。この場合、ＰＧＮＤ端子はグランド端子であるので、ＴＹＰＥ＿ＩＮ端子に入力される電圧は、カメラ本体１００内のプルアップ抵抗１００ｋΩと保護抵抗１ｋΩとの比率（分圧比）に基づいて決定され、その値は、おおよそ「０×０００Ａ」となる。したがって、この場合も、カメラ制御部１０１は、カメラ本体１００に装着されているカメラアクセサリを判別することはできない。
【０１９７】
以上説明したように、ＴＹＰＥ端子が隣接する端子とショートしている場合、ＴＹＰＥ＿ＩＮ端子に入力される電圧レベルは、ＰＧＮＤ端子が示す電圧レベルに近い値、または、ＶＢＡＴ端子が示す電源電圧のレベルに近い値となる。このような場合、カメラ制御部１０１は、カメラ本体１００にどのようなカメラアクセサリが装着されたかを判別することができないため、カメラアクセサリごとに適切な動作を実行・指示することができない。
【０１９８】
そこで、本実施形態のカメラ本体１００は、カメラ制御部１０１のＴＹＰＥ＿ＩＮ端子にＰＧＮＤ端子が示す電圧レベル近傍の値が入力された場合、カメラ制御部１０１はカメラアクセサリとの通信を行わないように制御する。本実施形態でカメラ制御部１０１は、ＴＹＰＥ＿ＩＮ端子に入力される電圧レベルが「０×００００〜０×００７Ｆ」の範囲に含まれる場合、ＴＹＰＥ端子の接続状態に異常が生じているエラー状態であると判定し、カメラアクセサリとの通信は行わない。
【０１９９】
また、ＴＹＰＥ＿ＩＮ端子にＶＢＡＴ端子が示す電源電圧レベルの値が入力された場合、カメラ制御部１０１はカメラアクセサリとの通信を行わないように制御する。本実施形態でカメラ制御部１０１は、ＴＹＰＥ＿ＩＮ端子に入力される電圧レベルが「０×０３８０〜０×０３ＦＦ」の範囲に含まれる場合、ＴＹＰＥ端子の接続状態に異常が生じているエラー状態であると判定し、カメラアクセサリとの通信は行わない。
【０２００】
この構成によって、本実施形態に係るカメラ本体１００は、カメラ本体１００に装着されたカメラアクセサリの種類が誤判別された状態で、定格電圧を超える電圧レベルがカメラアクセサリ側に印加されてしまうことを防止することができる。
【０２０１】
（カメラ本体１００にカメラアクセサリが装着された際の動作）
次に、図１２を参照して、カメラ本体１００にカメラアクセサリが装着された際の動作として、前述した第１の通信が開始されるまでの処理を示す通信選択処理について説明する。図１２は、カメラ本体１００に何れかのカメラアクセサリが装着された際の、第１の通信が開始されるまでの動作について例示的に説明するフローチャートである。なお、本実施形態では、図１２に図示するフローチャートに対応するプログラムをカメラ制御部１０１に設けられたメモリ（不図示）に格納しておき、当該メモリから読み出した当該プログラムをカメラ制御部１０１が実行する構成である。したがって、以降に説明する各ステップの動作はカメラ制御部１０１によって実行されるものとする。なお、所定のプログラムに従った動作ではなく、カメラ本体１００およびカメラアクセサリを構成する各部が、対応する各ステップの動作を指示、実行する構成であってもよい。なお、本実施形態におけるカメラ制御部１０１は、各端子が示す電圧レベルを検出する検出手段、および、各通信端子による通信を制御する制御手段として機能する。
【０２０２】
まず、カメラ本体１００に設けられた電源スイッチ（不図示）などの操作により、カメラ本体１００の電源オンが指示されたことに応じて、通信選択処理が開始される。そして、ステップＳ６０１でカメラ制御部１０１は、ＭＩＦ＿ＩＮ端子の電圧レベルを読み込み、前述したメモリにおける不図示のＲＡＭ領域に、読み込んだ電圧レベルに基づくＭＩＦ＿ＩＮ端子の状態に関する情報を記憶する。
【０２０３】
次に、ステップＳ６０２では、ＲＡＭ領域に記憶されたＭＩＦ＿ＩＮ端子の状態に関する情報に基づき、ＭＩＦ＿ＩＮ端子がＨｉｇｈを示す場合は、カメラ本体１００にカメラアクセサリは装着されていないと判定し、ステップＳ６０１に戻る。また、ＭＩＦ＿ＩＮ端子がＬｏｗを示す場合は、カメラ本体１００にカメラアクセサリが装着されている判定する。
【０２０４】
次に、ステップＳ６０３では、ＴＹＰＥ＿ＩＮ端子に入力される電圧レベルをＡＤ変換して読み込み、読み込んだ電圧レベルに基づくＴＹＰＥ＿ＩＮ端子の状態に関する情報を前述したＲＡＭ領域に記憶する。
【０２０５】
次に、ステップＳ６０４では、ＲＡＭ領域から読みだしたＴＹＰＥ＿ＩＮ端子の状態として、ＴＹＰＥ＿ＩＮ端子に入力される電圧レベルが「０×００８０」以上であって「０×０１７Ｆ」以下であるか否かを判定する。そして、ＴＹＰＥ＿ＩＮ端子に入力される電圧レベルが「０×００８０」以上であって「０×０１７Ｆ」以下であると判定された場合はステップＳ６０５に進み、上記条件を満たさない場合はステップＳ６０８に進む。
【０２０６】
次に、ステップＳ６０５では、カメラ本体１００に装着されたカメラアクセサリが第１の交換レンズ２００（レンズタイプ１）であると判定し、電源切り替え部１０４を制御して、通信インターフェース用の電源Ｖｓを３．０Ｖに設定する。
【０２０７】
次に、ステップＳ６０６では、カメラ電源部１０３からＶＤＤ端子への電源供給を開始する。
【０２０８】
次に、ステップＳ６０７では、３．０Ｖの通信電圧を設定して、第１通信部に対応する端子を用いた第１通信を開始し、ステップＳ６１４に進む。
【０２０９】
ステップＳ６０８では、ＲＡＭ領域から読みだしたＴＹＰＥ＿ＩＮ端子の状態として、ＴＹＰＥ＿ＩＮ端子に入力される電圧レベルが「０×０２８０」以上であって「０×０３７Ｆ」以下であるか否かを判定する。そして、ＴＹＰＥ＿ＩＮ端子に入力される電圧レベルが「０×０２８０」以上であって「０×０３７Ｆ」以下であると判定された場合はステップＳ６０９に進み、上記条件を満たさない場合はステップＳ６１２に進む。
【０２１０】
次に、ステップＳ６０９では、カメラ本体１００に装着されたカメラアクセサリが、変換アダプタ４００を介した第２の交換レンズ３００（レンズタイプ２）であると判定し、電源切り替え部１０４を制御し電源ＶｓをＶＤＤ（５．０Ｖ）に設定する。
【０２１１】
次に、ステップＳ６１０では、カメラ電源部１０３からＶＤＤ端子への電源供給を開始する。
【０２１２】
次に、ステップＳ６１１では、５．０Ｖの通信電圧を設定して、第１の通信部に対応する端子を用いた第１通信を開始し、ステップＳ６１４に進む。
【０２１３】
次に、ステップＳ６１２では、カメラ本体１００に装着されたカメラアクセサリが、カメラ本体１００に対応しないカメラアクセサリである（Ｒｅｓｅｒｖｅｄ）、または、所定の端子が異常を示している（エラー）と判定する。
【０２１４】
そして、ステップＳ６１３では、カメラアクセサリ側との通信を開始せず、表示部１５にエラー等に関する警告表示を行うための処理を実行するようにカメラ本体１００の各部を制御し、ステップ６１４に進む。
【０２１５】
ステップＳ６１４では、例えば電源スイッチ（不図示）などの操作により、カメラ本体１００の電源オフが指示されたか否かを判定する。ステップＳ６１４の判定において、電源スイッチオフが指示されたと判定された場合は、ステップＳ６１９に進みカメラ本体１００の電源をオフして、通信選択処理を終了する。また、ステップＳ６１４の判定において、電源スイッチオフが指示されていないと判定された場合は、ステップＳ６１５に進む。
【０２１６】
次に、ステップＳ６１５では、ＭＩＦ＿ＩＮ端子の電圧レベルを再度読み込み、前述したＲＡＭ領域に、読み込んだ電圧レベルに基づくＭＩＦ＿ＩＮ端子の状態に関する情報を記憶する。なお、Ｓ６１５の処理では、前述したＳ６０１の処理で読み込んだＭＩＦ＿ＩＮ端子の状態に関する情報を更新（上書き）してもよいし、別の記憶領域に別個記憶する構成であってもよい。
【０２１７】
次に、ステップＳ６１６では、ＲＡＭ領域に記憶されたＭＩＦ＿ＩＮ端子の状態に関する情報に基づき、ＭＩＦ＿ＩＮ端子がＨｉｇｈを示すか否かを判定する。ステップＳ６１６の判定で、ＭＩＦ＿ＩＮ端子がＨｉｇｈを示すと判定された場合は、カメラ本体１００に対するカメラアクセサリの装着が解除されたと判定して、ステップＳ６１７に進む。ステップＳ６１６の判定で、ＭＩＦ＿ＩＮ端子がＨｉｇｈを示さない（すなわちＬｏｗを示す）と判定された場合は、カメラ本体１００にカメラアクセサリが装着されたままである判定して、ステップＳ６１４の処理に戻る。
【０２１８】
ステップＳ６１７では、カメラアクセサリ側との通信を停止する。そして、ステップＳ６１８では、カメラ電源部１０３からＶＤＤ端子への電源供給を停止し、ステップＳ６０１の処理に戻る。以降は、上述した各処理を繰り返し実行する。
【０２１９】
なお、図１２においては不図示であるが、所定のタイミングにおいてカメラ本体１００側からカメラアクセサリに対してＶＢＡＴ端子を用いた駆動電源（ＶＢＡＴ）の供給有無を判定し、判定結果に基づいてＶＢＡＴの供給を行うものとする。
【０２２０】
（第１、第２、第３の通信の詳細）
次に、カメラ本体１００とカメラ本体１００に装着されたカメラアクセサリとの間で実行される各通信について説明する。まず、第１の通信について説明する。前述したように、第１の通信は、カメラ本体１００とカメラ本体１００に装着されたカメラアクセサリとの間で行われる通信系の１つである。そして、第１の通信部は、第１通信部に対応するＬＣＬＫ端子、ＤＣＬ端子、ＤＬＣ端子を用いて行われるクロック同期式または調歩同期式の通信系である。
【０２２１】
本実施形態においては、第１の交換レンズ２００および第２の交換レンズ３００の双方が、第１の通信に対応している。しかしながら、前述したように、第１の通信に係る通信電圧は、第１の交換レンズ２００と第２の交換レンズ３００とで異なる。
【０２２２】
第１の通信としては、例えは、カメラアクセサリに対する、フォーカスレンズの駆動、ズームレンズの駆動、絞り駆動などの駆動命令の送信に用いられる。当該駆動命令を受信したカメラアクセサリでは、当該駆動命令に応じた動作が実行される。また、第１の通信としては、カメラアクセサリ側からカメラ本体１００に対して、フォーカスレンズの位置、焦点距離、絞り開口径（絞り値）など、カメラアクセサリ自身の状態に関する情報（状態情報）をカメラ本体１００へと送信する際に用いられる。
【０２２３】
次に、第２の通信について説明する。前述したように、第２の通信は、カメラ本体１００と第１の交換レンズ２００との間で行われる通信系の１つであり、第２通信部に対応するＤＬＣ２端子を用いて行われる非同期式の通信である。なお、第２の交換レンズ３００は、ＤＬＣ２端子などの第２の通信部に対応する端子を備えていないので、カメラ本体１００と第２の交換レンズ３００との間では第２の通信は行われない。
【０２２４】
第２の通信では、第１の交換レンズ２００が通信の親機（マスター）となり、第１の交換レンズ２００におけるフォーカスレンズの位置、ズームレンズの位置、絞り値、防振レンズの状態等を含む所定量の光学データをカメラ本体１００側に送信する。そして、第２の通信では、カメラ本体１００が通信の子機（スレーブ）となる。なお、第１の交換レンズ２００からカメラ本体１００に送信するデータの種類および順番は、前述した第１の通信によってカメラ本体１００側から第１の交換レンズ２００側へと指示される。
【０２２５】
ここで、図１３を参照して、第２の通信を行う際のカメラ側およびカメラアクセサリ側での動作について説明する。図１３は、本発明の実施形態に係る第２の通信に関する各動を例示的に説明するフローチャートである。なお、本実施形態では、図１３に図示するフローチャートに対応するプログラムをメモリ（不図示）に格納しておき、当該メモリから読み出した当該プログラムをカメラ制御部１０１および第１のレンズ制御部２０１が実行する構成である。したがって、以降に説明する各ステップの動作はカメラ制御部１０１または第１のレンズ制御部２０１によって実行されるものとする。なお、所定のプログラムに従った動作ではなく、カメラ本体１００および第１の交換レンズ２００を構成する各部が、対応する各ステップの動作を指示、実行する構成であってもよい。
【０２２６】
図１３に図示する第２の通信は、カメラ本体１００における被写体の撮像制御が開始されたタイミングから開始される。まず、ステップＳ１３０１では、カメラ本体１００において第２の通信の開始要求を第１の通信によって第１の交換レンズ２００側に送信する。なお、ステップＳ１３０１で送信される開始要求としては、第２の通信により第１の交換レンズ２００側から取得を意図する種々のデータの種類と、これらのデータを受信する順番が予め設定された登録通信コマンドを含んでいる。
【０２２７】
次に、ステップＳ１３１１では、第１の交換レンズ２００において、カメラ本体１００側から送信された開始要求を受信し、ステップＳ１３１２に進む。そして、ステップＳ１３１２では、第１の交換レンズ２００において、開始要求に含まれる登録通信コマンドに基づく種々のデータを指定された順番で生成する。
【０２２８】
次に、ステップＳ１３１３では、第１の交換レンズ２００において生成した種々のデータを、第２の通信を用いてカメラ本体１００側に送信する。すなわち、ステップＳ１３１３では、第１の交換レンズ２００のＤＬＣ２端子は２００９およびカメラ本体１００のＤＬＣ２端子１００９を用いて、第１の交換レンズ２００側で生成された種々のデータがカメラ本体１００側に向けて送信される。
【０２２９】
次に、カメラ本体１００において、ステップＳ１３０３２処理において第１の交換レンズ２００側から第２の通信を用いて送信された種々のデータを順に受信し、指定された各データの受信が完了したことに応じて、第２の通信を終了する。なお、本実施形態においては、被写体の撮像制御が開始されるごとに、図１３に図示するフローを繰り返し実行する。
【０２３０】
このように、第２の通信を実行する場合は、開始要求は第１の通信を用いて送信されるが、第１の通信部に対応する端子とは異なる第２の通信部に対応する端子を用いて、前述した第１の通信とは異なる独立した通信系統の通信が可能である。この構成により、カメラ本体１００と第１の交換レンズ２００との間においては、第１の通信で行う通信（例えば、アクチュエータへの制御要求など）を妨げることなく、第２の通信として種々のデータ（例えば、光学データ）の通信を行うことができる。なお、前述したように、第２の通信の開始要求は第１の通信を用いてカメラ本体１００側から第１の交換レンズ２００側へと送信されるため、第１の通信が成立していることが第２の通信を行うための必要条件である。
【０２３１】
次に、第３の通信について説明する。前述したように第３の通信は、カメラ本体１００と第１の交換レンズ２００および変換アダプタ４００および中間アクセサリ５００との間で行われる通信系の１つである。なお、第３の通信は、第３通信部に対応するＤＣＡ端子およびＣＳ端子を用いて行われる非同期式の通信である。また、前述のように、第２の交換レンズ３００は第３通信部に対応する端子を備えていないので、カメラ本体１００に第２の交換レンズ３００との間では第３の通信は行われない。
【０２３２】
第３の通信では、カメラ本体１００が通信の親機（マスター）となり、カメラ本体１００に直接的および間接的に装着された、第１の交換レンズ２００、変換アダプタ４００、中間アクセサリ５００が通信の子機（スレーブ）となる。
【０２３３】
なお、前述した例では、図６、図９に図示したように、カメラ本体１００と所定の交換レンズの間に１つの変換アダプタ４００または１つの中間アクセサリ５００を備える場合について説明したが、これに限定されるものではない。例えば、カメラ本体１００と所定の交換レンズの間に変換アダプタ４００および中間アクセサリ５００を計２つ以上備える構成であってもよい。したがって、第３の通信では、通信に係る１つのマスターに対して複数のスレーブが直列で接続される場合がある。このため、第３の通信では、カメラ本体１００から複数のカメラアクセサリ（スレーブ）に対して一斉に信号を送信するブロードキャスト通信モードと、特定のカメラアクセサリを指定して通信を行うＰ２Ｐ（Ｐｅｅｒ−ｔｏ−Ｐｅｅｒ）モードとを切り替え可能である。
【０２３４】
第３の通信におけるブロードキャスト通信モードとＰ２Ｐモードとして、ＤＣＡ端子は双方向の通信が可能な通信データ用の端子として機能する。これに対して、ＣＳ端子は、ブロードキャスト通信モードとＰ２Ｐモードでその機能が異なる。この詳細について、まずは、図１４を参照してブロードキャスト通信について説明する。図１４は、本発明の実施形態に係る第３の通信におけるブロードキャスト通信を例示的に説明するタイミング図である。なお、図１４は、カメラ本体１００に中間アクセサリ５００を介して第１の交換レンズ２００が装着された場合を示している。
【０２３５】
なお、図１４の図中では、第３の通信におけるブロードキャスト通信においては、ＣＳ端子を用いた通信信号を、「ＣＳ（カメラ）」、「ＣＳ（レンズ）」、「ＣＳ（アクセサリ）」と図示する。また、ＤＣＡ端子を用いた通信信号を、「ＤＣＡ（カメラ）」、「ＤＣＡ（レンズ）」、「ＤＣＡ（アクセサリ）」と図示する。また、図中における「ＣＳ」および「ＤＣＡ」は、所定の通信制御タイミングにおける、カメラ本体１００と中間アクセサリ５００と第１の交換レンズ２００の各ＣＳ端子およびＤＣＡ端子が示す信号波形を示している。以降は、カメラ制御部１０１から第１のレンズ制御部２０１およびアクセサリ制御部５０１へのブロードキャスト通信に応じて、アクセサリ制御部５０１からカメラ制御部１０１と第１のレンズ制御部２０１にブロードキャスト通信を行う場合について説明する。
【０２３６】
以降の説明では、ＣＳ端子に接続される信号線を信号線ＣＳと称し、ＤＣＡ端子に接続される信号線を信号線ＤＣＡと称す。図１４に示す〈１〉のタイミングで、カメラ制御部１０１から信号線ＣＳにＬｏｗ出力が開始される。この動作は、ブロードキャスト通信を開始することを通信マスターであるカメラ制御部１０１から通信スレーブである第１のレンズ制御部２０１およびアクセサリ制御部５０１に通知するための動作である。
【０２３７】
次に、図１４に示す〈２〉のタイミングで、カメラ制御部１０１は、送信対象のデータを信号線ＤＣＡに出力する。そして、図１４に示す〈３〉のタイミングで、第１のレンズ制御部２０１とアクセサリ制御部５０１は、信号線ＤＣＡに入力されたスタートビットＳＴを検出し、信号線ＣＳへのＬｏｗ出力を開始する。なお、既に〈１〉のタイミングでカメラ制御部１０１により信号線ＣＳへのＬｏｗ出力が行われているので、このタイミングでは、カメラ側における信号線ＣＳの信号レベルは変化しない。
【０２３８】
次に、図１４に示す〈４〉のタイミングで、送信するデータにおけるストップビットＳＰまでの出力が完了したら、〈５〉のタイミングで、カメラ制御部１０１は、信号線ＣＳへのＬｏｗ出力を解除する。一方、第１のレンズ制御部２０１とアクセサリ制御部５０１は、ストップビットＳＰまでのデータを受信したら、受信したデータの解析および受信したデータに関する内部処理を行う。当該内部処理が完了し、次のデータを受信するための準備が整った場合、第１のレンズ制御部２０１およびアクセサリ制御部５０１は、図１４に示す〈６〉、〈７〉のタイミングで、信号線ＣＳへのＬｏｗ出力を解除する。
【０２３９】
なお、受信したデータの解析および受信したデータに関する内部処理に要する時間は各制御部に設けられたＣＰＵの処理能力に依って異なる。したがって、連続的に通信を行うために、各制御部は、他の制御部において、受信したデータに関する内部処理が完了したタイミングを把握する必要がある。
【０２４０】
本実施形態では、前述のとおりＣＳ端子はオープンドレインタイプの出力を行う。このため、信号線ＣＳの信号レベルは、カメラ制御部１０１、第１のレンズ制御部２０１、アクセサリ制御部５０１の全てが信号線ＣＳへのＬｏｗ出力を解除した場合にＨｉｇｈ出力となる。すなわち、ブロードキャスト通信に関与する各制御部（ＣＰＵ）は、信号線ＣＳの信号レベルがＨｉｇｈ出力となったことを確認することで、他の制御部（ＣＰＵ）において次の通信を行うための準備が整ったことを判断する。この構成により、本実施形態のカメラ本体１００および所定のカメラアクセサリは、連続的に適切な通信を行うことができる。
【０２４１】
次に、図１４に示す〈８〉のタイミングで、アクセサリ制御部５０１は信号線ＣＳのＨｉｇｈ出力が解除されたことを確認する。その後、アクセサリ制御部５０１は、ブロードキャスト通信の開始をカメラ制御部１０１および第１のレンズ制御部２０１に通知するために、信号線ＣＳへのＬｏｗ出力を開始する。
【０２４２】
次に、図１４に示す〈９〉のタイミングで、アクセサリ制御部５０１は、送信対象のデータを信号線ＤＣＡに出力する。
【０２４３】
一方、カメラ制御部１０１と第１のレンズ制御部２０１は、信号線ＤＣＡから入力されたスタートビットＳＴを検出し、図１４に示す〈１０〉のタイミングで、信号線ＣＳへのＬｏｗ出力を開始する。なお、既に〈８〉のタイミングでアクセサリ制御部５０１により信号線ＣＳへのＬｏｗ出力が行われているので、このタイミングでは、アクセサリ側における信号線ＣＳの信号レベルは変化しない。
【０２４４】
次に、図１４に示す〈１１〉のタイミングで、アクセサリ制御部５０１は、ストップビットＳＰまで出力を終了した後、〈１２〉のタイミングで信号線ＣＳへのＬｏｗ出力を解除する。一方、カメラ制御部１０１と第１のレンズ制御部２０１は、信号線ＤＣＡから入力されたストップビットＳＰまでのデータを受信する。その後、カメラ制御部１０１と第１のレンズ制御部２０１は、受信したデータの解析および受信したデータに紐づけられた内部処理を行い、次のデータを受信するための準備が整った〈１３〉、〈１４〉のタイミングで、信号線ＣＳへのＬｏｗ出力を解除する。
【０２４５】
以上のように、本実施形態の第３通信のうち、ブロードキャスト通信モードでは、信号線ＣＳがブロードキャスト通信の開始および通信中（処理中）であることを示す信号を通知するための信号線として機能する。
【０２４６】
次に、図１５を参照して、第３の通信におけるＰ２ＰモードにおけるＣＳ端子の機能を説明する。図１５は、本発明の実施形態に係る第３の通信におけるＰ２Ｐ通信を例示的に説明するタイミング図である。なお、図１５は、カメラ本体１００に中間アクセサリ５００を介して第１の交換レンズ２００が装着された場合を示している。また、図１５の図中で示す各信号線および信号波形については、図１４を用いて説明したブロードキャスト通信モードと略同一なので説明は省略する。
【０２４７】
以降は、カメラ制御部１０１から第１のレンズ制御部２０１に対して１バイトのデータを送信し、当該１バイトのデータに応答するように、第１のレンズ制御部２０１からカメラ制御部１０１に対して２バイトのデータを送信する場合について説明する。
【０２４８】
以降の説明では、ＣＳ端子に接続される信号線を信号線ＣＳと称し、ＤＣＡ端子に接続される信号線を信号線ＤＣＡと称す。図１５に示す〈１５〉のタイミングで、カメラ制御部１０１は、信号線ＤＣＡを用いて特定のデータを送信させるための命令を第１のレンズ制御部２０１に送信する。
【０２４９】
次に、図１５に示した〈１６〉のタイミングで、カメラ側の信号線ＤＣＡにおけるストップビットＳＰの出力まで完了した後、〈１７〉のタイミングで、カメラ制御部１０１は信号線ＣＳへのＬｏｗ出力を開始する。そして、カメラ制御部１０１は、信号線ＣＳにＬｏｗを出力している間にデータを受信する準備を行い、当該準備が整った〈１８〉のタイミングで、信号線ＣＳへのＬｏｗ出力を解除する。
【０２５０】
一方、第１のレンズ制御部２０１は、カメラ制御部１０１が出力した信号線ＣＳのＬｏｗ信号を検出した後、カメラ制御部１０１から受信した命令を解析し、該命令に関する内部処理を行う。その後第１のレンズ制御部２０１は、カメラ側における信号線ＣＳのＬｏｗ出力解除を確認した後、図１５に示した〈１９〉のタイミングで、第１のレンズ制御部２０１はカメラ制御部１０１から受信した命令に応じたデータを、信号線ＤＣＡを用いて送信する。
【０２５１】
次に、図１５に示した〈２０〉のタイミングで、第１のレンズ制御部２０１は、２バイト目のストップビットＳＰまでの出力を終了したのち、〈２１〉のタイミングで、レンズ側の信号線ＣＳへのＬｏｗ出力を開始する。その後、第１のレンズ制御部２０１は、次のデータの受信準備が整った後、図１５に示す〈２２〉のタイミングで、信号線ＣＳへのＬｏｗ出力を解除する。なお、図１５に図示する説明において、Ｐ２Ｐ通信の通信相手として選択されていないアクセサリ制御部５０１は、信号線ＣＳおよび信号線ＤＣＡにおける各種動作には関与しない。
【０２５２】
以上のように、本実施形態の第３通信のうち、Ｐ２Ｐモードでは、信号線ＣＳがデータの送信側の送信終了、および、で０田送信に係る待機要求を通知するための信号線として機能する。
【０２５３】
以上説明したように、本実施形態に係る第３の通信では、ブロードキャスト通信モードとＰ２ＰモードでＣＳ端子の機能を異ならせている。この構成により、ＣＳ端子およびＤＣＡ端子に係る信号線ＣＳと信号線ＤＣＡの計２つの信号線のみを用いて、ブロードキャスト通信モードおよびＰ２Ｐモード双方の通信を実現できる。
【０２５４】
さらに、第３の通信を用いた種々のデータの送受信は、出力タイプがＣＭＯＳ出力タイプであるＤＣＡ端子を用いて行われる。この構成により、ＣＳ端子の出力タイプをオープンドレインタイプで構成したとしても、高速通信を実現することが可能である。
【０２５５】
（各端子の並び順）
以上までに説明したカメラ本体１００および各カメラアクセサリの回路構成および動作に基づき、以降は、本実施形態に係るカメラマウントＡおよびレンズマウントＢに配された各端子の配置に関する詳細を説明する。
【０２５６】
まず、ＭＩＦ端子の配置に関する説明をする。ここで、仮にカメラ側マウントのＭＩＦ端子１００５が、レンズマウントＢに配されたＭＩＦ端子２００５を除く他の端子（接点面）と摺動する位置に配されている、あるいは、ＭＩＦ端子がＤＧＮＤ端子やＰＧＮＤ端子よりも先に接続完了する場合を想定する。この場合、カメラマウントＡに対してレンズマウントＢが完全に装着されていない状態では、カメラ本体１００側からカメラアクセサリ側に電源の供給はされていない。したがって、レンズマウントＢに設けられた各端子がカメラマウントＡ側の各端子と摺動することで、ＭＩＦ端子１００５がＭＩＦ端子２００５以外の端子と接触してしまうこと、ＭＩＦ端子１００５が示す電圧レベルが瞬間的にＬｏｗとなる虞がある。
【０２５７】
この場合、両マウント同士で対応する端子同士の接続が完了していない状態であるにも関わらず、カメラ本体１００側においてカメラアクセサリが装着されたことを誤検出されてしまう。したがって、カメラ本体１００にカメラアクセサリが完全に装着されていない状態で電源の供給が開始されてしまう場合があり、電源供給およびグランド接続が電気的に安定せずに、カメラ本体１００およびカメラアクセサリの誤動作や不具合が生じる虞がある。この問題は、ＭＩＦ端子同士の接続が各グラウンド端子同士よりも先に接続される場合も同様である。
【０２５８】
以上説明した問題に対して本実施形態では、カメラマウントＡおよびレンズマウントＢにおいて、ＭＩＦ端子１００５、２００５は、それぞれカメラマウント下段およびレンズマウント上段におけるレンズ装着方向の奥側に配されている。すなわち、本実施形態では、マウント同士の着脱に際して、カメラマウントＡ側のＭＩＦ端子１００５がレンズマウントＢ側のＭＩＦ端子２００５を除く他の端子の何れとも摺動しない位置に各端子が配される。この構成により、カメラ本体１００側において、カメラアクセサリの装着が誤検出されることを防止できる。また、この構成により、電源系端子同士、およびグランド端子同士が確実に接続された状態で、カメラ本体１００側からカメラアクセサリ側に対して電源の供給が行われる。したがって、本実施形態のカメラ本体１００および各カメラアクセサリは、カメラ本体１００およびカメラアクセサリの誤動作や不具合を低減することができる。
【０２５９】
次に、第１通信部に対応するＤＬＣ端子、ＤＣＬ端子、ＬＣＬＫ端子の配置に関して説明する。上述したように、カメラ本体１００と第１の交換レンズ２００および第２の交換レンズ３００などとの間における駆動制御や状態情報の取得は、第１の通信を用いて行われる。換言すると、カメラ本体１００を用いた被写体の撮影動作に必要な主要なデータの送受信は第１の通信を用いて行われる。仮に、端子同士の摺動によって第２、第３通信部に対応する端子が摩耗し、第２、第３通信部に対応する端子同士の電気的な接続が不安定であっても、第１通信が正確に行われるのであれば、撮影動作に係るカメラアクセサリの主要な駆動制御が可能である。したがって、第１通信部に対応する端子は、第２、第３通信部に対応する端子と比較して、撮像動作を行う上でより重要な端子である。
【０２６０】
そこで、本実施形態のカメラマウントＡにおいては、第１通信部に対応する各端子を、第２、第３通信部に対応する端子よりも、端子同士の摺動回数（接触回数）が少ない位置に配する。具体的に、本実施形態のカメラマウントＡにおいて、第１通信部に対応するＤＬＣ端子、ＤＣＬ端子、ＬＣＬＫ端子は、ＤＬＣ２端子、ＣＳ端子、ＤＣＡ端子よりも、レンズ装着方向の奥側に配する。また、カメラマウントＡにおいて、第１通信部に対応するＤＬＣ端子、ＤＣＬ端子、ＬＣＬＫ端子は、ＭＩＦ端子の次に、端子同士の摺動（接触）回数が少ない位置に配する。したがって、レンズマウントＢにおける各端子の配置は、カメラマウントＡにおける各端子の配置とは逆転した位置となる。
【０２６１】
この構成により、カメラ本体１００に対するカメラアクセサリの着脱に回数に応じた端子同士の摺動（接触）に対する耐久性を、第１通信部に対応する各端子群の方が第２、第３通信部に対応する端子よりも高耐久にすることができる。したがって、本実施形態のカメラ本体１００およびカメラアクセサリは、第１通信部に対応するＤＣＬ端子、ＤＬＣ端子、ＬＣＬＫ端子に対応する接点ピンおよび接点面の摩擦に起因する通信不良を低減し、両者の通信信頼性を向上させることができる。
【０２６２】
次に、図１６を参照して、ＤＧＮＤ端子およびＣＳ端子の配置に関して説明する。図１６は、本発明の実施形態に係るカメラマウントＡおよびレンズマウントＢにおけるＣＳ端子、ＤＣＡ端子、ＤＧＮＤ端子の内部構成を例示的に説明する図である。図１６（ａ）は、本実施形態で説明した端子の配設順とは異なり、仮にＤＧＮＤ端子に隣接してＤＣＡ端子が配された場合を示し、図１６（ｂ）は、本実施形態における端子の配設順を示した図である。
【０２６３】
前述したように、ＤＣＡ端子はＣＭＯＳ出力タイプの端子なので、図１６（ａ）に図示するように、ＤＣＡ端子とＤＧＮＤ端子との端子間でショートが生じると、図中の矢印で示す向きに比較的大きい電流が流れてしまう。具体的に、ＤＣＡ端子とＤＧＮＤ端子との端子間に導電性の異物などが付着した状態でＤＣＡ端子が示す電圧レベルをＨｉｇｈ出力にすると、ＣＭＯＳ出力タイプのＤＣＡ端子がＤＧＮＤ端子とショートしてしまう。この場合、図１６（ａ）で示す矢印の経路に沿って、カメラ側のＤＧＮＤ端子側に意図しない大電流が流れる虞がある。そして、この場合、カメラ本体１００の電気回路に不具合が生じてしまう虞がある。
【０２６４】
これに対して、本実施形態では、図１６（ｂ）に図示するように、ＤＧＮＤ端子をＣＳ端子に隣接させている。前述した通り、ＣＳ端子はオープンタイプの出力を行う端子である。したがって、例えば、ＤＧＮＤ端子とＣＳ端子との間に導電性の異物などが付着するなどして、ＤＧＮＤ端子とＣＳ端子とがショートした場合でも、図１６（ｂ）で示す矢印の経路に沿って、微小な電流がＤＧＮＤ端子側に流れるだけである。具体的に、ＣＳ端子はオープンタイプの出力を示す端子なので、ＤＧＮＤ端子とＣＳ端子とがショートした場合であっても、カメラ側の電源からプルアップ抵抗を通じて電圧レベルが低い微小な電流がカメラ側のＤＧＮＤ端子側に流れるだけである。したがって、本実施形態のカメラ本体１００およびカメラアクセサリは、上述の構成を採用することで、カメラ側のＤＧＮＤ端子を介したグランド側に大電流が流れることに起因して、カメラ本体１００の電気回路に不具合が生じることを防止することができる。
【０２６５】
次に、図１７を参照して、ＤＬＣ２端子とＬＣＬＫ端子の配置に関して説明する。図１７は、本発明の実施形態に係るＬＣＬＫ端子に隣接させる端子の違いに応じて電気回路に生じる影響について例示的に説明する図である。図１７（ａ）は、仮に、ＬＣＬＫ端子にＣＳ端子を隣接させた場合を示す。図１７（ｂ）は、仮に、ＬＣＬＫ端子にＤＣＡ端子を隣接させた場合を示す。図１７（ｃ）は、ＬＣＬＫ端子にＤＬＣ２を隣接させた際に、両端子の間に異物が存在する場合について示す。図１７（ｄ）は、ＬＣＬＫ端子にＤＬＣ２を隣接させた際に、曲がった端子が隣接する端子と接触する場合について示す。なお、図１７に示す各図は、カメラ本体１００に変換アダプタ４００を介して第２の交換レンズ３００が装着された場合を示している。
【０２６６】
図１７（ａ）に図示するように、例えば、カメラ本体１００と変換アダプタ４００において、ＬＣＬＫ端子にＣＳ端子が隣接して配された場合を想定する。なお、図１７（ａ）では、変換アダプタ４００のＬＣＬＫ端子とＣＳ端子との間に導電性の異物９０が存在する場合であって、両端子間の導通がされることで端子間がショートする場合を示している。
【０２６７】
変換アダプタ４００を介してカメラ本体１００に第２の交換レンズ３００が装着された場合を想定する。この場合、図示するように、ＬＣＬＫ端子の信号ラインはカメラ本体１００内の抵抗器Ｒ＿ＬＣＬＫ＿Ｃ１２０、及び第２の交換レンズ３００内の抵抗器Ｒ＿ＬＣＬＫ＿Ｌ３２０を介してＶＤＤ（５．０Ｖ）にプルアップ接続される。一方、ＣＳ端子はカメラ本体１００の内部に設けられた抵抗（抵抗器）、及び変換アダプタ４００の内部に設けられた抵抗（抵抗器）を介して３．０Ｖの電圧レベルにプルアップ接続されるものとする。
【０２６８】
この場合、ＬＣＬＫ端子とＣＳ端子がショートすることで、ＬＣＬＫ端子の信号ライン側からＣＳ端子の信号ライン側に、抵抗器Ｒ＿ＬＣＬＫ＿Ｃ１２０およびＲ＿ＬＣＬＫ＿Ｌ３２０を介して３．０Ｖ以上の電圧が印加されることになる。通常、第２・第３通信用Ｉ／Ｆ部１０２ｂ及びアダプタ制御部４０１は、ともに電源電圧３．０Ｖの電源で動作している。しかしながら、上述したように、両端子がショートした場合は、第２・第３通信用Ｉ／Ｆ部１０２ｂ及びアダプタ制御部４０１などの素子に上限電圧以上の電圧が印加されるため、変換アダプタ４００およびカメラ本体１００の電気回路に不具合が生じる虞がある。
【０２６９】
ここで、上限電圧とは定格電圧であって、それぞれの端子に接続された電気回路に不具合が生じないような電圧を示す。あるいは、上限電圧とは動作電圧のことであって、それぞれの端子に接続された電気回路が正常に動作可能となる電圧を示す。
【０２７０】
次に、図１７（ｂ）に図示するように、例えば、カメラ本体１００と変換アダプタ４００において、ＬＣＬＫ端子にＤＣＡ端子が隣接して配された場合を想定する。なお、図１７（ｂ）では、変換アダプタ４００のＬＣＬＫ端子とＤＣＡ端子との間に導電性の異物９０が存在する場合であって、両端子間の導通がされることで端子間がショートする場合を示している。
【０２７１】
変換アダプタ４００を介してカメラ本体１００に第２の交換レンズ３００が装着された場合を想定する。この場合、図示するように、ＬＣＬＫ端子の信号ラインはカメラ本体１００内の抵抗器Ｒ＿ＬＣＬＫ＿Ｃ１２０、及び第２の交換レンズ３００内の抵抗器Ｒ＿ＬＣＬＫ＿Ｌ３２０を介してＶＤＤ（５．０Ｖ）にプルアップ接続される。一方、ＤＣＡ端子はカメラ本体１００の内部に設けられた抵抗（抵抗器）、及び変換アダプタ４００の内部に設けられた抵抗（抵抗器）を介して３．０Ｖの電圧レベルにプルアップ接続されるものとする。
【０２７２】
この場合、ＬＣＬＫ端子とＤＣＡ端子がショートすることで、ＬＣＬＫ端子の信号ライン側からＤＣＡ端子の信号ライン側に、抵抗器Ｒ＿ＬＣＬＫ＿Ｃ１２０およびＲ＿ＬＣＬＫ＿Ｌ３２０を介して３．０Ｖ以上の電圧が印加されることになる。通常、第２・第３通信用Ｉ／Ｆ部１０２ｂ及びアダプタ制御部４０１は、ともに電源電圧３．０Ｖの電源で動作している。しかしながら、上述したように、両端子がショートした場合は、第２・第３通信用Ｉ／Ｆ部１０２ｂ及びアダプタ制御部４０１などの素子に上限電圧以上の電圧が印加されるため、変換アダプタ４００およびカメラ本体１００の電気回路に不具合が生じる虞がある。
【０２７３】
以上説明した理由により、レンズ装着方向の手前側において第１通信部に対応するＬＣＬＫ端子に隣接する第２、第３通信部に対応する端子として、ＣＳ端子およびＤＣＡ端子を設定するのは望ましくない。
【０２７４】
以降は、本実施形態の構成としてＬＣＬＫ端子にＤＬＣ２端子を隣接させる場合について説明する。図１７（ｃ）に図示するように、ＬＣＬＫ端子とＤＬＣ２端子とが隣接して配置された場合、導電性の異物９０が存在することで端子間がショートした場合を想定する。この場合、前述したように、第２の交換レンズ３００は第２通信部に対応する端子（ＤＬＣ２端子）を備えていないので、変換アダプタ４００を介してカメラ本体１００に第２の交換レンズ３００が装着されたとしても第２の通信は行われない。すなわち、カメラ本体１００に変換アダプタ４００を介して第２の交換レンズ３００を装着した場合、カメラ本体１００と第２の交換レンズ３００との間では、第２通信部に対応するＤＬＣ２端子は使用されない。
【０２７５】
したがって、カメラ本体１００に変換アダプタ４００を介して第２の交換レンズ３００が装着された場合は、仮に、ＬＣＬＫ端子とＤＬＣ２端子がショートしても、アダプタ制御部４０１など変換アダプタ４００の電気回路に不具合が生じることはない。また、仮に、ＬＣＬＫ端子とＤＬＣ２端子がショートしても、第２の交換レンズ３００、変換アダプタ４００、カメラ本体１００のそれぞれに設けられた抵抗器に基づく抵抗の分圧により、両端子に印加される電圧をそれぞれの上限電圧以下に抑制できる。この詳細については後述する。すなわち、第１通信部に対応する端子には、第２通信部に対応する端子（ＤＬＣ２端子）を隣接して配置するのが好ましい。この構成により、本実施形態に係るカメラ本体１００および変換アダプタ４００は、変換アダプタ４００およびカメラ本体１００が備える各電気回路の不具合を防止できる。
【０２７６】
なお、カメラ本体１００に第１の交換レンズ２００が装着される場合、第１通信部と第２通信部の通信電圧は同一（３．０Ｖ）である。この場合、ＬＣＬＫ端子とＤＬＣ２端子がショートしても、上述したように、カメラ本体１００のＩ／Ｆ部１０２などの素子に上限電圧以上の電圧が印加されることはない。
【０２７７】
また、カメラ本体１００に第１の交換レンズ２００が装着される場合、第２通信と第３通信が互いに独立して同時に使用される場合がある。この場合、第２通信部に対応するＤＬＣ２端子が第３通信部に対応するＤＣＡ端子とショートしても、第２通信部と第３通信部の通信電圧は同一（３．０Ｖ）であるので、第２、第３通信用Ｉ／Ｆ部１０２ｂに動作電圧以上の電圧が印加されることはない。
【０２７８】
以上説明したように、第１通信部に対応する端子の隣りには第２通信部に対応する端子（ＤＬＣ２端子）を配し、第２通信部に対応する端子の逆隣には第３通信部に対応する端子（ＣＳ端子またはＤＣＡ端子）を配するのが望ましい。すなわち、第３通信部に対応する端子は、第２通信部に対応するＤＬＣ２端子を挟んで、当該ＤＬＣ２端子の一方で隣接した第１通信部に対応するＬＣＬＫ端子の反対側において、当該ＤＬＣ２端子と隣接するように配されるのが望ましい。この構成により、何れの交換レンズが直接的および間接的にカメラ本体１００に装着された場合であっても、カメラ本体１００および変換アダプタ４００の電気回路に不具合が生じることを防止できる。
【０２７９】
ここで、カメラ本体１００の内部における各インターフェース部に印加される電圧について詳細を説明する。なお、ここでは、変換アダプタ４００を介してカメラ本体１００に第２の交換レンズ３００が装着された場合を想定する。この場合、ＬＣＬＫ端子の信号ラインはカメラ本体１００内の抵抗器Ｒ＿ＬＣＬＫ＿Ｃ１２０、及び第２の交換レンズ３００内の抵抗器Ｒ＿ＬＣＬＫ＿Ｌ３２０を介してＶＤＤ（５．０Ｖ）にプルアップ接続される。一方、ＤＬＣ２端子は、カメラ本体１００の内部に設けられた抵抗器Ｒ＿ＤＬＣ２＿Ｃ１２２、及び変換アダプタ４００の内部に設けられた抵抗器Ｒ＿ＤＬＣ２＿Ａ４２２を介してＤＧＮＤ端子の信号ラインにプルダウン接続される。
【０２８０】
ここで、Ｒ＿ＬＣＬＫ＿Ｃ１２０とＲ＿ＬＣＬＫ＿Ｌ３２０との合成抵抗をＲ＿ＬＣＬＫ、Ｒ＿ＤＬＣ２＿Ｃ１２２とＲ＿ＤＬＣ２＿Ａ４２２との合成抵抗をＲ＿ＤＬＣ２とする。また、上述したように端子間がショートした場合に、ＬＣＬＫ端子とＤＬＣ２端子の信号ラインに印加される電圧をＶ＿ＳＴ１とする。合成抵抗Ｒ＿ＬＣＬＫ、合成抵抗Ｒ＿ＤＬＣ２、印加電圧Ｖ＿ＳＴ１はそれぞれ以下の式（１）、（２）、（３）で算出される。
Ｒ＿ＬＣＬＫ＝１／（（１／Ｒ＿ＬＣＬＫ＿Ｃ１２０）＋（１／Ｒ＿ＬＣＬＫ＿Ｌ３２０））・・（１）
Ｒ＿ＤＬＣ２＝１／（（１／Ｒ＿ＤＬＣ２＿Ｃ１２２）＋（１／Ｒ＿ＤＬＣ２＿Ａ４２２））・・（２）
Ｖ＿ＳＴ１＝５．０×（Ｒ＿ＤＬＣ２／（Ｒ＿ＬＣＬＫ＋Ｒ＿ＤＬＣ２））・・（３）
【０２８１】
例えば、Ｒ＿ＬＣＬＫが１０ｋΩ、Ｒ＿ＤＬＣ２が１００ｋΩに設定した場合、式（１）、（２）、（３）に基づいて、印加電圧Ｖ＿ＳＴ１≒４．５Ｖとなるため、第２・第３通信用Ｉ／Ｆ部１０２ｂの上限電圧（３．０Ｖ）を超えた電圧が印加されてしまう。
【０２８２】
そこで、本実施形態では、例えば、Ｒ＿ＬＣＬＫが１０ｋΩ、Ｒ＿ＤＬＣ２が１０ｋΩと設定することで、印加電圧Ｖ＿ＳＴ１＝２．５Ｖが、第２・第３通信用Ｉ／Ｆ部１０２ｂの上限電圧（３．０Ｖ）以下となるように調整する。印加電圧を第２・第３通信用Ｉ／Ｆ部１０２ｂの上限電圧以下とするには、以下の式（４）を満たせばよい。
（Ｒ＿ＤＬＣ２／（Ｒ＿ＬＣＬＫ＋Ｒ＿ＤＬＣ２））≦（３．０／ＶＤＤ）・・（４）
【０２８３】
上述した式（４）を満たすように、Ｒ＿ＬＣＬＫ＿Ｃ１２０、Ｒ＿ＬＣＬＫ＿Ｌ３２０、Ｒ＿ＤＬＣ２＿Ｃ１２２、及び、Ｒ＿ＤＬＣ２＿Ａ４２２の抵抗値を設定することで、第２・第３通信用Ｉ／Ｆ部１０２ｂを過電圧から保護することが可能となる。
【０２８４】
ここで、本実施形態においてカメラ制御部１０１は、前述したように、所定の交換レンズが装着された直後にＬＣＬＫ端子がＬｏｗレベルからＨｉレベルへ切り替わったことを検出する。また、交換レンズが第２の交換レンズ３００である場合は、カメラ制御部１０１は第２の交換レンズ３００側とオープンドレイン出力タイプの通信を行い、当該通信により第２の交換レンズ３００がＣＭＯＳ出力タイプの通信に対応しているか否かを判定する。そして、第２の交換レンズ３００がＣＭＯＳ出力タイプの通信に対応していると判定された場合に、ＬＣＬＫ端子及びＤＣＬ端子の出力方式をＣＭＯＳ出力タイプに切り替える。ここで、ＬＣＬＫ端子とＤＣＬ端子の出力タイプをＣＭＯＳ出力タイプに切り替えた場合、ＬＣＬＫ端子１００８が示す電圧は、Ｒ＿ＬＣＬＫ＿Ｃ１２０を介することなく第１通信用Ｉ／Ｆ部１０２ａから出力される電源電圧（５．０Ｖ）となる。
【０２８５】
第１通信用Ｉ／Ｆ部１０２ａのＬＣＬＫ信号の入力端子のＬｏｗレベル入力閾値（ＶＩＬ＿ＬＣＬＫ）が０．５Ｖであり、また、Ｒ＿ＬＣＬＫ＝１０ｋΩ、Ｒ＿ＤＬＣ２＿Ａ４２２＝４７０Ω、Ｒ＿ＤＬＣ２＿Ｃ１２２＝１０ｋΩであると仮定する。この場合、式（２）、（３）に基づいて、印加電圧Ｖ＿ＳＴ１≒０．２Ｖは、第１通信用Ｉ／Ｆ部１０２ａのＬｏｗレベル入力閾値よりも小さいので、カメラ制御部１０１は交換レンズとの通信不可と判断し、レンズ側との通信を開始しないように制御する。
【０２８６】
この構成により、カメラ本体１００側において、ＬＣＬＫ端子の出力タイプがＣＭＯＳ出力タイプに切り替わることはないため、第２・第３通信用Ｉ／Ｆ部１０２ｂなどの素子に上限電圧以上の電圧が印加されることを防止できる。カメラ本体１００側において、ＬＣＬＫ端子の出力タイプがＣＭＯＳ出力タイプに切り替わるのを防止するには、以下の式（５）を満たせばよい。
（Ｒ＿ＤＬＣ２／（Ｒ＿ＬＣＬＫ＋Ｒ＿ＤＬＣ２））≦ＶＩＬ＿ＬＣＬＫ・・（５）
【０２８７】
上述した式（５）を満たすように、Ｒ＿ＬＣＬＫ＿Ｃ１２０、Ｒ＿ＬＣＬＫ＿Ｌ３２０、Ｒ＿ＤＬＣ２＿Ｃ１２２、及び、Ｒ＿ＤＬＣ２＿Ａ４２２の抵抗値を設定することで、第２・第３通信用Ｉ／Ｆ部１０２ｂを過電圧から保護することが可能となる。
【０２８８】
ただし、上述した式（５）を満たす場合であっても、Ｒ＿ＤＬＣ２＿Ｃ１２２の抵抗値が小さいと、ＤＬＣ２端子を用いた第２通信の際に、レンズ側Ｉ／Ｆ部２０２の端子電流を大きい値に設定しなければならない。例えば、Ｒ＿ＤＬＣ２＿Ａ４２２が１０ｋΩ、Ｒ＿ＤＬＣ２＿Ｃ１２２が４７０Ωとする場合が該当する。これに対して本実施形態では、第２通信を考慮して、Ｒ＿ＤＬＣ２＿Ｃ１２２＝１０ｋΩよりもＲ＿ＤＬＣ２＿Ａ４２２が４７０Ωの抵抗値が小さくなるように各抵抗の値を設定する。
【０２８９】
次に、図１７（ｄ）に図示するように、ＬＣＬＫ端子とＤＬＣ２端子とが隣接して配置された場合、カメラ本体１００側に設けられたＤＬＣ２端子１００９の接点ピンが曲がり、隣接するＬＣＬＫ端子との間でショートした場合を想定する。なお、ＬＣＬＫ端子、及び、ＤＬＣ２端子の端子処理については、前述した通りなので説明は省略する。
【０２９０】
ここで、図１０（ｄ）に図示するような場合に、カメラ本体１００側のＬＣＬＫ端子およびＤＬＣ２端子１００９に印加される電圧をＶ＿ＳＴ２とする。この場合、印加電圧Ｖ＿ＳＴ２は式（６）で算出される。
Ｖ＿ＳＴ２＝５．０×Ｒ＿ＤＬＣ２＿Ｃ１２２／（Ｒ＿ＬＣＬＫ＋Ｒ＿ＤＬＣ２＿Ｃ１２２）・・（６）
【０２９１】
例えば、Ｒ＿ＬＣＬＫが１０ｋΩ、Ｒ＿ＤＬＣ２＿Ｃ１２２が１００ｋΩであるとすると、式（１）、（６）に基づいて、Ｖ＿ＳＴ２≒４．５Ｖとなるため、第２・第３通信用Ｉ／Ｆ部１０２ｂの上限電圧（３．０Ｖ）を超えた電圧が印加されてしまう。この場合、前述したように、第２・第３通信用Ｉ／Ｆ部１０２ｂを含むカメラ本体１００の電気回路に不具合が生じる虞がある。
【０２９２】
そこで、本実施形態では、例えば、Ｒ＿ＬＣＬＫ＝１０ｋΩ、Ｒ＿ＤＬＣ２＿Ｃ１２２＝１０ｋΩと設定することで、印加電圧Ｖ＿ＳＴ２＝２．５Ｖが、第２・第３通信用Ｉ／Ｆ部１０２ｂの上限電圧（３．０）以下となるように調整する。印加電圧が第２・第３通信用Ｉ／Ｆ部１０２ｂの上限電圧以下となるには以下の式（７）を満たせばよい。なお、第２、第３通信用Ｉ／Ｆ部１０２ｂのＤＬＣ２信号の入力端子のＨｉｇｈレベル入力閾値をＶＩＨ＿ＤＬＣ２とする。
ＶＩＨ＿ＤＬＣ２≦Ｒ＿ＤＬＣ２／（Ｒ＿ＬＣＬＫ＋Ｒ＿ＤＬＣ２）≦（３．０／ＶＤＤ）・・（７）
【０２９３】
上述した式（７）を満たすように、Ｒ＿ＬＣＬＫ＿Ｃ１２０、Ｒ＿ＬＣＬＫ＿Ｌ３２０、Ｒ＿ＤＬＣ２＿Ｃ１２２の抵抗値を設定することで、第２・第３通信用Ｉ／Ｆ部１０２ｂを過電圧から保護することが可能となる。
【０２９４】
ここで、変換アダプタ４００を介してカメラ本体１００に第２の交換レンズ３００が装着されている場合、ＤＬＣ２端子は変換アダプタ４００内部に設けられた抵抗（抵抗器）Ｒ＿ＤＬＣ２＿Ａ４２２を介してＤＧＮＤ信号ラインにプルダウン接続される。この場合、カメラ制御部１０１に設けられたＤＬＣ２入力端子（ＤＬＣ２＿ＩＮ）には、Ｌｏｗレベルの電圧が入力されることが期待される。
【０２９５】
ＤＬＣ２信号の入力端子のＨｉｇｈレベル入力閾値をＶＩＨ＿ＤＬＣ２が２．３Ｖであり、Ｒ＿ＬＣＬＫが１０ｋΩ、Ｒ＿ＤＬＣ２＿Ｃ１２２が１０ｋΩであると仮定する。この場合、式（６）に基づいて、印加電圧Ｖ＿ＳＴ２＝２．５Ｖが、閾値ＶＩＨ＿ＤＬＣ２の電圧レベルを上回るため、カメラ制御部１０１はＤＬＣ２端子がＨｉｇｈレベルの電圧出力であると判断されてしまう。したがって、ＤＬＣ２入力端子（ＤＬＣ２＿ＩＮ）には、入力が期待されるＬｏｗレベルではなくＨｉｇｈレベルの電圧が入力されるため、この場合は、端子に異常がある旨を検出することができる（エラー検出）。なお、この場合、ＬＣＬＫ端子１００８はオープンドレインタイプの出力状態を維持したままであって、さらにユーザに対して各マウントに設けられた端子の状態を確認する旨の警告表示を行う（エラー処理）。
【０２９６】
この構成により、端子の折れによりＬＣＬＫ端子とＤＬＣ２端子がショートした場合であっても、カメラ本体１００のＬＣＬＫ端子１００８がＣＭＯＳ出力タイプの端子に切り替わることはなく、第２・第３通信用Ｉ／Ｆ部１０２ｂを過電圧から保護できる。
【０２９７】
なお、第２、第３通信部の通信電圧についても、第１通信部と同電圧となるように、装着される交換レンズに応じて切り替える構成であれば、端子間がショートした際の電気回路の不具合を防ぐことができる。しかしながら、通信に係る消費電力を少なくし、また、通信を高速化するために、第２、第３通信部の通信電圧は、第１通信部の通信電圧の中で最も低い電圧に合わせて設定する。
【０２９８】
以上、本発明の好ましい実施形態について説明したが、本発明はこれらに限定されず、その要旨の範囲内で種々の変形および変更が可能である。例えば、前述した実施形態では、撮像装置であるカメラ本体１００の一例としてデジタルカメラを採用した場合について説明したが、デジタルビデオカメラやセキュリティカメラなど、デジタルカメラ以外の撮像装置を採用する構成であってもよい。
【０２９９】
また、前述した実施形態では、本発明を実施するカメラアクセサリの一例として交換レンズ、変換アダプタ、中間アクセサリを採用した場合について説明したが、これに限定されるものではない。例えば、カメラアクセサリとしては、カメラ本体１００のカメラマウントＡに直接的および間接的に結合（装着）可能なものであれば、上述した以外の機器を採用してもよい。
【０３００】
また、前述した実施形態では、図４（ａ）、（ｂ）に図示するように、カメラ本体１００を撮影時に被写体が面する側から見た際に、カメラマウントＡに対してレンズマウントＢを右周りに相対回転する方向を装着方向としたが、これに限定されるものではない。例えば、カメラ本体１００を撮影時に被写体が面する側から見た際に、カメラマウントＡに対してレンズマウントＢを左周りに相対回転する方向を装着方向としてもよい。この場合、少なくとも、前述した各マウントに配された各端子の配列を逆転すればよい。
【０３０１】
また、前述した実施形態では、カメラマウントＡを基準としてレンズ装着方向（アクセサリ装着方向）を定義し、各マウントにおける端子の配置について説明したが、レンズマントＢを基準とした場合は、端子の配置関係は逆転する。例えば、レンズマウントＢを基準とした場合は、ＶＤＤ端子２００１がカメラマウントＡに配された何れかの端子と最初に接触するため、ＶＤＤ端子２００１が配された側を、レンズ装着方向の手前側とする。あるいは、カメラマウントＡおよびレンズマウントＢの相対的な装着方向（回転方向）で各端子の配置を定義してもよい。この場合、カメラマウントＡの端子のうち、最後にレンズマウントＢに設けられた端子と接触するＶＤＤ端子が位置する側が奥側、レンズマウントＢの端子のうち、最初にカメラマウントＡに設けられた端子と接触するＶＤＤ端子が位置する側が手前側となる。また、カメラマウントＡの端子のうち、最初にレンズマウントＢに設けられた端子と接触するＤＧＮＤ端子が位置する側が手前側、レンズマウントＢの端子のうち、最後にカメラマウントＡに設けられた端子と接触するＤＧＮＤ端子が位置する側が奥側となる。
【０３０２】
なお、上述したレンズマウントの装着方向の最も奥側および手前側とは、カメラ本体１００にカメラアクセサリを装着した際に、カメラ・レンズマウントの双方に対応する端子が存在する範囲の中における位置を示している。したがって、例えば、カメラ本体１００に装着可能なカメラアクセサリのマウントにおいて、カメラ本体１００側が備えない端子が存在する場合、当該端子が配される位置については問わない。なお、前述した実施形態で説明した各カメラアクセサリを装着可能な撮像装置においても同様に、カメラアクセサリ側が備えない端子が存在する場合、当該端子が配される位置については問わない。
【０３０３】
また、前述した実施形態では、撮像装置側のマウントに設けられた端子が接点ピンであって、アクセサリ側のマウントに設けられた端子が接点面である場合について説明したが、これに限定されるものではない。例えば、撮像装置側のマウントに接点面を設け、アクセサリ側のマウントに当該接点面に対応する接点ピンを設け、それぞれ対応する接点面と接点ピンとが電気的に接続可能となる構成であってもよい。この場合、上述した実施形態において説明したカメラマウントおよびアクセサリマウントそれぞれの特徴は、対応するアクセサリマウントおよびレンズマウントにおいても実施可能である。
【０３０４】
前述した実施形態に係る撮像装置およびアクセサリとしては、例えば、カメラマウントに設けられた端子を接点面とする場合、カメラマウントに設けられた各接点面のマウントの円周方向の幅を適宜調整する構成であってもよい。また、アクセサリマウントに設けられた端子を接点ピンとする場合、アクセサリマウントに設けられた各接点ピンのピン間のピッチを適宜調整する構成であってもよい。
【０３０５】
また、前述した実施形態では、図１２、図１３に図示したフローに従ったコンピュータプログラムを予めメモリ（不図示）に格納し、カメラ制御部１０１が該プログラムを実行する場合について説明したが、これに限定されるものではない。例えば、該プログラムは、プログラムの機能を有していれば、オブジェクトコード、インタプリタにより実行されるプログラム、ＯＳに供給するスクリプトデータ等、プログラムの形態を問わない。また、プログラムを供給するためのメモリに該当する記録媒体としては、例えば、ハードディスク、磁気テープ等の磁気記録媒体、光／光磁気記録媒体でもあってもよい。
【０３０６】
また、前述した実施形態では、カメラマウントＡとレンズマウント（アクセサリマウント）Ｂの何れかを備えた機器を他方のマウントを備えた機器に対して実際に回転させることで、双方の機器同士をバヨネット結合する構成について説明したが、これに限定されるものではない。例えば、カメラマウントＡとレンズマウントＢ同士を相対的に回転させる構成を採用して、双方のバヨネット結合を可能とする構成であってもよい。以下、図２０〜２２を参照して、この構成を採用した本発明の変形例について具体的に説明する。
【０３０７】
図２０は、本発明の変形例に係るマウント機構５０００の分解斜視図である。図２１は、本発明の変形例に係るマウント機構５０００の非結合状態について例示的に説明する図である。図２２は、本発明の変形例に係るマウント機構５０００の結合状態について例示的に説明する図である。なお、図２０〜２２においては、説明のために、マウント機構５０００の可動マウント部５０１０とバヨネット結合が可能なレンズマウントＢを同時に図示している。また、前述した実施形態と同一の部材については説明を省略し同一の符号を付す。
【０３０８】
図２０に図示するように、本変形例のマウント機構５０００は、光軸３０００を中心軸として、レンズマウントＢが取り付けられる側から順に、操作部５０３０、固定マウント部５０２０、可動マウント部５０１０、接点保持部材１０５の順に各部材が配されている。操作部材５０３０は、中心軸を中心に回転可能なリング状の操作手段であって、腕部５０４０により、可動マウント部５０１０とビスで固定されている。なお、本変形例では、中心軸に対して直交方向に配された２つの腕部５０４０を用いて、操作部材５０３０と可動マウント部５０１０とが計２箇所で固定されている。この構成により、操作部材５０３０が回転操作されることに応じて、可動マウント部５０１０も一体的に中心軸を中心として回転する。
【０３０９】
可動マウント部５０１０には、レンズマウントＢに設けられた複数の爪（バヨネット爪）のそれぞれとバヨネット結合が可能な可動マウント爪部５０１１ａ、５０１１ｂ、５０１１ｃが設けられている。また、可動マウント部５０１０には、中心軸回りにねじ切りされたねじ部５０１２が設けられており、可動マウント部５０１０の中心軸回りの回転に伴って、後述する固定マウント部５０２０のねじ部５０２２との螺合状態が変化する。
【０３１０】
固定マウント部５０２０には、レンズマウントＢのマウント面と当接するカメラマウント面５０２１と、前述した可動マウント部５０１０のねじ部５０１２と螺合するねじ部５０２２が備えられている。固定マウント部５０２０は、前述した可動マウント部５０１０とは異なり、操作部材５０３０の回転操作に応じて、中心軸回りに回転することはない。
【０３１１】
次に、図２１、２２を参照して、本変形例に係るマウント機構のバヨネット結合方法について説明する。なお、レンズマウントＢに設けられた各爪は、操作部材５０３０の開口部分および固定マウント部５０２０の開口部分を挿通した状態で、可動マウント５０１０の可動マウント爪部５０１１ａ〜ｃと係合可能な状態となる。図２１（ａ）−（ｃ）に図示する状態は、操作部材５０３０が非ロック位置に位置する状態である。この状態では、レンズマウントＢのマウント当接面と固定マウント部５０２０のカメラマウント面（マウント当接面）５０２１とが当接するが、中心軸方向から見て、レンズマウント３０１および可動マウント５０１０のそれぞれの爪部同士が互いに係合しない（重ならない）。図２１（ｃ）は、図２１（ｂ）に図示するＣ−Ｃ断面の断面図を示す。この状態から、操作部材５０３０を回転操作した状態のマウント機構５０００を例示するのが図２２である。
【０３１２】
図２２に図示する状態は、操作部材５０３０がロック位置に位置する状態である。この状態では、中心軸方向から見て、レンズマウントＢおよび可動マウント５０１０のそれぞれの爪同士が、マウント中心軸と平行な方向において互いに重なり係合する。そして、この状態では、操作部材５０３０の回転操作に伴って、固定マウント部５０２０のねじ部５０２２と可動マウント部５０１０のねじ部との螺合状態が変化し、可動マウント部５０１０がマウントの中心軸と平行な方向において、撮像装置側へと移動する。図２２（ｃ）は、図２２（ｂ）に図示するＣ−Ｃ断面の断面図を示す。図２１（ｃ）および図２２（ｃ）に図示するように、マウント機構５０００の非ロック状態がロック状態に変化することに応じて、マウント中心軸（すなわち光軸）と平行な方向において、可動マウント部５０１０が固定マウント部５０２０から離れる方向に移動する。この構成により、レンズマウントＢに設けられたバヨネット爪と係合した状態の可動マウント爪部５０１１ａ〜５０１１ｃのそれぞれが、撮像装置側へと移動する。
【０３１３】
以上説明したように、本変形例のマウント機構５０００は、レンズマウント側の爪と係合可能な爪を備えた可動マウント部がマウントの中心軸回りに回転することで、可動マウント部が固定マウント部に対してマウントの中心軸と平行な方向に移動できる。この構成により、本変形例のマウント機構５０００は、レンズマウントとカメラ側のマウントとの結合状態において、両者の間に生じる隙間（ガタ）の発生を低減することが出来る。
【０３１４】
なお、上述した変形例では、撮像装置側にマウント機構５０００を設ける構成について説明したが、例えば、交換レンズなどのカメラアクセサリ側にマウント機構５０００を備える構成に適用可能である。
【０３１５】
（その他の実施形態）
また本発明は、上述の実施形態の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【符号の説明】
【０３１６】
１００  カメラ本体
１０１  カメラ制御部
２００  第１の交換レンズ
２０１  第１のレンズ制御部
３００  第２の交換レンズ
３０１  第２のレンズ制御部
４００  変換アダプタ
４０１  アダプタ制御部
５００  中間アクセサリ
５０１  アクセサリ制御部
１００１−１０１２  カメラ側端子
２００１−２０１２  アクセサリ側端子
３００１、３００２、３００４−３００８、３０１２  アクセサリ側端子
４００１、４００２、４００４−４００８、４０１２  カメラ側端子
【図１】
2020024458.tif 000004
【図２】
2020024458.tif 000005
【図３】
2020024458.tif 000006
【図４】
2020024458.tif 000007
【図５】
2020024458.tif 000008
【図６】
2020024458.tif 000009
【図７】
2020024458.tif 000010
【図８】
2020024458.tif 000011
【図９】
2020024458.tif 000012
【図１０】
2020024458.tif 000013
【図１１】
2020024458.tif 000014
【図１２】
2020024458.tif 000015
【図１３】
2020024458.tif 000016
【図１４】
2020024458.tif 000017
【図１５】
2020024458.tif 000018
【図１６】
2020024458.tif 000019
【図１７】
2020024458.tif 000020
【図１８】
2020024458.tif 000021
【図１９】
2020024458.tif 000022
【図２０】
2020024458.tif 000023
【図２１】
2020024458.tif 000024
【図２２】
2020024458.tif 000025